(57)【要約】ばく露制限との適合性を維持するために、帯域内測定が実行され得る。ユーザ機器におけるワイヤレス通信のための方法、コンピュータ可読媒体、及び装置が提供され得る。装置は、セル固有リソース、例えば、ＭＰＥ測定に利用可能なセル固有リソースのインジケーションを受信する。装置は次に、セル固有リソースに基づいて、測定を実行し、その測定値が閾値を満たすかどうかに基づいて、ユーザ機器の送信特性を調整するかどうかを決定する。別の態様では、基地局装置は、ユーザ機器がＭＰＥ測定を実行し得るセル固有リソースを構成し、ＭＰＥ測定のためのセル固有リソースの使用を制御し得る。【選択図】図７
2021508202.tif 000002
【特許請求の範囲】
【請求項１】
ユーザ機器（ＵＥ）におけるワイヤレス通信の方法であって、
セル固有リソースのインジケーションを受信することと、
前記セル固有リソースに基づいて測定を実行することと、
測定値が閾値を満たすかどうかに基づいて、前記ＵＥの送信特性を調整するかどうかを決定することと
を備える、方法。
【請求項２】
前記インジケーションは、前記セル固有リソースが最大許容ばく露量（ＭＰＥ）測定に利用可能であることを示す、請求項１に記載の方法。
【請求項３】
前記セル固有リソースは、システムギャップ内に包含される、請求項１に記載の方法。
【請求項４】
前記セル固有リソースは、アップリンクセル固有リソースを備える、請求項１に記載の方法。
【請求項５】
前記セル固有リソースは、ランダムアクセスチャネル（ＲＡＣＨ）リソース、ビーム障害回復リソース、又はスケジューリング要求（ＳＲ）リソースのうちの少なくとも１つを備える、請求項１に記載の方法。
【請求項６】
前記ＵＥは、ダウンリンク経路損失値に基づいて、前記測定のための送信電力を決定する、請求項５に記載の方法。
【請求項７】
前記ＵＥは、ＲＡＣＨリソースリスニング方向に基づいて、前記測定を実行するための少なくとも１つのサブアレイをスケジュールする、請求項５に記載の方法。
【請求項８】
前記ＵＥは、以前のＲＡＣＨリソース中で受けられた干渉電力に基づいて、前記測定を行うかどうかを決定する、請求項５に記載の方法。
【請求項９】
前記セル固有リソースは、前記ＲＡＣＨリソースを備え、前記ＲＡＣＨリソースは、複数のサブリソースを備え、各サブリソースは、同期信号（ＳＳ）バーストセット内の異なるＳＳブロックに対応する、請求項５に記載の方法。
【請求項１０】
前記ＲＡＣＨリソースの持続時間は、スロット内のシンボルの少なくとも１つのサブセットを備える、請求項９に記載の方法。
【請求項１１】
前記ＵＥは、ＳＳブロックを選択し、前記選択されたＳＳブロックのための対応するＲＡＣＨサブリソースに基づいて、前記測定を実行する、請求項９に記載の方法。
【請求項１２】
前記ＵＥは、低減された信号強度を有するＳＳブロックを選択する、請求項１１に記載の方法。
【請求項１３】
前記セル固有リソースが前記測定のために使用され得るという第２のインジケーションをネットワークから受信すること
を更に備える、請求項１に記載の方法。
【請求項１４】
前記セル固有リソースが前記測定のために使用されないことがあるという第２のインジケーションをネットワークから受信すること
を更に備える、請求項１に記載の方法。
【請求項１５】
前記インジケーションは、前記測定のために前記セル固有リソースを使用する能力を示し、前記インジケーションは、マスタ情報ブロック（ＭＩＢ）、他のシステム情報、媒体アクセス制御（ＭＡＣ）制御要素（ＣＥ）、ダウンリンク制御情報（ＤＣＩ）、無線リソース制御（ＲＲＣ）メッセージのうちの少なくとも１つ中に、又は異なるキャリアからのメッセージ中にパラメータを備え、前記インジケーションは、前記測定のための前記セル固有リソースの前記使用に対して制限を課す、請求項１に記載の方法。
【請求項１６】
前記異なるキャリアは、ロングタームエボリューション（ＬＴＥ）キャリア又は５Ｇサブ６キャリアを備える、請求項１５に記載の方法。
【請求項１７】
基地局から前記測定のためのライズオーバサーマル閾値を受信すること
を更に備える、請求項１に記載の方法。
【請求項１８】
前記測定のための送信が基地局において受信され得る最大受信電力を受けること
を更に備える、請求項１に記載の方法。
【請求項１９】
基地局から前記測定のためのスケジュールされた期間を受信すること
を更に備える、請求項１に記載の方法。
【請求項２０】
前記セル固有リソースは、既存のリソース機会を備え、前記既存のリソース機会は、スケジュールされていないアップリンクリソース及びダウンリンク送信とアップリンク送信との間のギャップのうちの少なくとも１つを備える、請求項１に記載の方法。
【請求項２１】
前記測定値が前記閾値を満たすときに、前記ＵＥの前記送信特性を調整すること
を更に備える、請求項１に記載の方法。
【請求項２２】
前記送信特性は、送信電力、送信方向、アンテナアレイ選択、又はアンテナモジュール選択のうちの少なくとも１つを備える、請求項２１に記載の方法。
【請求項２３】
基地局に前記送信特性の調整を示すこと
を更に備える、請求項２２に記載の方法。
【請求項２４】
前記セル固有リソースは、ランダムアクセスチャネル（ＲＡＣＨ）リソースとデータリソース若しくは制御リソースとの間、又は周波数ドメイン中の２つのＲＡＣＨリソース間にガードトーンを含む、請求項１に記載の方法。
【請求項２５】
前記セル固有リソースは、ダウンリンクリソースを備える、請求項１に記載の方法。
【請求項２６】
前記セル固有リソースは、少なくとも１つの同期信号（ＳＳ）リソースを備える、請求項２５に記載の方法。
【請求項２７】
前記ＵＥは、前記ユーザ機器が信号を検出しなかったＳＳブロックに基づいて、前記測定を実行する、請求項２６に記載の方法。
【請求項２８】
前記ＵＥは、基地局からのアップリンク許可に基づいて、前記セル固有リソース中で前記測定を実行する、請求項１に記載の方法。
【請求項２９】
前記ＵＥは、前記基地局が同じリソース中で前記ＵＥへのいかなるアップリンクデータもスケジュールしていないときに、前記測定を実行する、請求項２８に記載の方法。
【請求項３０】
ユーザ機器（ＵＥ）におけるワイヤレス通信のための装置であって、
メモリと、
前記メモリに結合され、
セル固有のインジケーションを受信することと、
前記セル固有リソースに基づいて測定を実行することと、
測定値が閾値を満たすかどうかに基づいて、前記ＵＥの送信特性を調整するかどうかを決定することと
を行うように構成された少なくとも１つのプロセッサと
を備える、装置。
【請求項３１】
前記インジケーションは、前記セル固有リソースが最大許容ばく露量（ＭＰＥ）測定に利用可能であることを示す、請求項３０に記載の装置。
【請求項３２】
前記セル固有リソースは、システムギャップ内に包含される、請求項３０に記載の装置。
【請求項３３】
前記セル固有リソースは、アップリンクセル固有リソースを備える、請求項３０に記載の装置。
【請求項３４】
前記セル固有リソースは、ランダムアクセスチャネル（ＲＡＣＨ）リソース、ビーム障害回復リソース、又はスケジューリング要求（ＳＲ）リソースのうちの少なくとも１つを備える、請求項３０に記載の装置。
【請求項３５】
前記ＵＥは、ダウンリンク経路損失値に基づいて、前記測定のための送信電力を決定する、請求項３４に記載の装置。
【請求項３６】
前記ＵＥは、ＲＡＣＨリソースリスニング方向に基づいて、前記測定を実行するための少なくとも１つのサブアレイをスケジュールする、請求項３４に記載の装置。
【請求項３７】
前記ＵＥは、以前のＲＡＣＨリソース中で受けられた干渉電力に基づいて、前記測定を行うかどうかを決定する、請求項３４に記載の装置。
【請求項３８】
前記セル固有リソースは、前記ＲＡＣＨリソースを備え、前記ＲＡＣＨリソースは、複数のサブリソースを備え、各サブリソースは、同期信号（ＳＳ）バーストセット内の異なるＳＳブロックに対応する、請求項３４に記載の装置。
【請求項３９】
前記ＲＡＣＨリソースの持続時間は、スロット内のシンボルの少なくとも１つのサブセットを備える、請求項３８に記載の装置。
【請求項４０】
前記ＵＥは、ＳＳブロックを選択し、前記選択されたＳＳブロックのための対応するＲＡＣＨサブリソースに基づいて、前記測定を実行する、請求項３８に記載の装置。
【請求項４１】
前記ＵＥは、低減された信号強度を有するＳＳブロックを選択する、請求項４０に記載の装置。
【請求項４２】
前記少なくとも１つのプロセッサは、
前記セル固有リソースが前記測定のために使用され得るという第２のインジケーションをネットワークから受信すること
を行うように更に構成される、請求項３０に記載の装置。
【請求項４３】
前記少なくとも１つのプロセッサは、
前記セル固有リソースが前記測定のために使用されないことがあるという第２のインジケーションをネットワークから受信すること
を行うように更に構成される、請求項３０に記載の装置。
【請求項４４】
前記インジケーションは、前記測定のために前記セル固有リソースを使用する能力を示し、前記インジケーションは、マスタ情報ブロック（ＭＩＢ）、他のシステム情報、媒体アクセス制御（ＭＡＣ）制御要素（ＣＥ）、ダウンリンク制御情報（ＤＣＩ）、無線リソース制御（ＲＲＣ）メッセージのうちの少なくとも１つ中に、又は異なるキャリアからのメッセージ中にパラメータを備え、前記インジケーションは、前記測定のための前記セル固有リソースの前記使用に対して制限を課す、請求項３０に記載の装置。
【請求項４５】
前記異なるキャリアは、ロングタームエボリューション（ＬＴＥ）キャリア又は５Ｇサブ６キャリアを備える、請求項４４に記載の装置。
【請求項４６】
前記少なくとも１つのプロセッサは、
基地局から前記測定のためのライズオーバサーマル閾値を受信すること
を行うように更に構成される、請求項３０に記載の装置。
【請求項４７】
前記少なくとも１つのプロセッサは、
前記測定のための送信が基地局において受信され得る最大受信電力を受けること
を行うように更に構成される、請求項３０に記載の装置。
【請求項４８】
前記少なくとも１つのプロセッサは、
基地局から前記測定のためのスケジュールされた期間を受信すること
を行うように更に構成される、請求項３０に記載の装置。
【請求項４９】
前記セル固有リソースは、既存のリソース機会を備え、前記既存のリソース機会は、スケジュールされていないアップリンクリソース及びダウンリンク送信とアップリンク送信との間のギャップのうちの少なくとも１つを備える、請求項３０に記載の装置。
【請求項５０】
前記少なくとも１つのプロセッサは、
前記測定値が前記閾値を満たすときに、前記ＵＥの前記送信特性を調整すること
を行うように更に構成される、請求項３０に記載の装置。
【請求項５１】
前記送信特性は、送信電力、送信方向、アンテナアレイ選択、又はアンテナモジュール選択のうちの少なくとも１つを備える、請求項５０に記載の装置。
【請求項５２】
前記少なくとも１つのプロセッサは、
基地局に前記送信特性の調整を示すこと
を行うように更に構成される、請求項５１に記載の装置。
【請求項５３】
前記セル固有リソースは、ランダムアクセスチャネル（ＲＡＣＨ）リソースとデータリソース若しくは制御リソースとの間、又は周波数ドメイン中の２つのＲＡＣＨリソース間にガードトーンを含む、請求項３０に記載の装置。
【請求項５４】
前記セル固有リソースは、ダウンリンクリソースを備える、請求項３０に記載の装置。
【請求項５５】
前記セル固有リソースは、少なくとも１つの同期信号（ＳＳ）リソースを備える、請求項５４に記載の装置。
【請求項５６】
前記ＵＥは、前記ユーザ機器が信号を検出しなかったＳＳブロックに基づいて、前記測定を実行する、請求項５５に記載の装置。
【請求項５７】
前記ＵＥは、基地局からのアップリンク許可に基づいて、前記セル固有リソース中で前記測定を実行する、請求項３０に記載の装置。
【請求項５８】
前記ＵＥは、前記基地局が同じリソース中で前記ＵＥへのいかなるアップリンクデータもスケジュールしていないときに、前記測定を実行する、請求項５７に記載の装置。
【請求項５９】
ユーザ機器（ＵＥ）におけるワイヤレス通信のための装置であって、
セル固有リソースのインジケーションを受信するための手段と、
前記セル固有リソースに基づいて測定を実行するための手段と、
測定値が閾値を満たすかどうかに基づいて、前記ＵＥの送信特性を調整するかどうかを決定するための手段と
を備える、装置。
【請求項６０】
前記インジケーションは、前記セル固有リソースが最大許容ばく露量（ＭＰＥ）測定に利用可能であることを示す、請求項５９に記載の装置。
【請求項６１】
前記セル固有リソースが前記測定のために使用され得るという第２のインジケーションをネットワークから受信するための手段
を更に備える、請求項５９に記載の装置。
【請求項６２】
前記セル固有リソースが前記測定のために使用されないことがあるという第２のインジケーションをネットワークから受信するための手段
を更に備える、請求項５９に記載の装置。
【請求項６３】
基地局から前記測定のためのライズオーバサーマル閾値を受信するための手段
を更に備える、請求項５９に記載の装置。
【請求項６４】
前記測定のための送信が基地局において受信され得る最大受信電力を受けるための手段
を更に備える、請求項５９に記載の装置。
【請求項６５】
基地局から前記測定のためのスケジュールされた期間を受信するための手段
を更に備える、請求項５９に記載の装置。
【請求項６６】
前記測定値が前記閾値を満たすときに、前記ＵＥの前記送信特性を調整するための手段
を更に備える、請求項５９に記載の装置。
【請求項６７】
前記送信特性は、送信電力、送信方向、アンテナアレイ選択、又はアンテナモジュール選択のうちの少なくとも１つを備え、前記装置は、
基地局に前記送信特性の調整を示すための手段
を更に備える、請求項６６に記載の装置。
【請求項６８】
ユーザ機器（ＵＥ）におけるワイヤレス通信のためのコンピュータ実行可能コードを記憶するコンピュータ可読媒体であって、前記コンピュータ実行可能コードは、
セル固有リソースのインジケーションを受信することと、
前記セル固有リソースに基づいて測定を実行することと、
測定値が閾値を満たすかどうかに基づいて、前記ユーザ機器の送信特性を調整するかどうかを決定することと
を行うためのコードを備える、コンピュータ可読媒体。
【請求項６９】
前記インジケーションは、前記セル固有リソースが最大許容ばく露量（ＭＰＥ）測定に利用可能であることを示す、請求項６８に記載のコンピュータ可読媒体。
【請求項７０】
前記セル固有リソースが前記測定のために使用され得るという第２のインジケーションをネットワークから受信すること
を行うためのコードを更に備える、請求項６８に記載のコンピュータ可読媒体。
【請求項７１】
前記セル固有リソースが前記測定のために使用されないことがあるという第２のインジケーションをネットワークから受信すること
を行うためのコードを更に備える、請求項６８に記載のコンピュータ可読媒体。
【請求項７２】
基地局から前記測定のためのライズオーバサーマル閾値を受信すること
を行うためのコードを更に備える、請求項６８に記載のコンピュータ可読媒体。
【請求項７３】
前記測定のための送信が基地局において受信され得る最大受信電力を受けること
を行うためのコードを更に備える、請求項６８に記載のコンピュータ可読媒体。
【請求項７４】
基地局から前記測定のためのスケジュールされた期間を受信すること
を行うためのコードを更に備える、請求項６８に記載のコンピュータ可読媒体。
【請求項７５】
前記測定値が前記閾値を満たすときに、前記ＵＥの前記送信特性を調整すること
を行うためのコードを更に備える、請求項６８に記載のコンピュータ可読媒体。
【請求項７６】
前記送信特性は、送信電力、送信方向、アンテナアレイ選択、又はアンテナモジュール選択のうちの少なくとも１つを備え、
基地局に前記送信特性の調整を示すこと
を行うためのコードを更に備える、請求項７５に記載のコンピュータ可読媒体。
【請求項７７】
基地局におけるワイヤレス通信の方法であって、
ユーザ機器（ＵＥ）が最大許容ばく露量（ＭＰＥ）測定を実行し得るセル固有リソースを構成することと、
前記ＭＰＥ測定のための前記セル固有リソースの使用を制御することと
を備える、方法。
【請求項７８】
前記セル固有リソースは、ランダムアクセスチャネル（ＲＡＣＨ）リソース、ビーム障害回復リソース、又はスケジューリング要求リソースのうちの少なくとも１つを備える、請求項７７に記載の方法。
【請求項７９】
前記セル固有リソースの使用を制御することは、アップリンクリソースが前記ＭＰＥ測定のために使用され得るというインジケーションを送信することを含む、請求項７７に記載の方法。
【請求項８０】
前記セル固有リソースの使用を制御することは、アップリンクリソースが前記ＭＰＥ測定のために使用されないことがあるというインジケーションを送信することを含む、請求項７７に記載の方法。
【請求項８１】
前記セル固有リソースの使用を制御することは、アップリンクリソースが前記ＭＰＥ測定のために使用され得るときを統制するパラメータを設定することを含む、請求項７７に記載の方法。
【請求項８２】
前記セル固有リソースの使用を制御することは、前記ＭＰＥ測定のためのアップリンクリソースの使用に関するインジケーションを送信することを含み、前記インジケーションは、マスタ情報ブロック（ＭＩＢ）、システム情報ブロック（ＳＩＢ）、媒体アクセス制御（ＭＡＣ）制御要素（ＣＥ）、ダウンリンク制御情報（ＤＣＩ）、又は無線リソース制御（ＲＲＣ）メッセージのうちの少なくとも１つ中にパラメータを備え、前記インジケーションは、前記ＭＰＥ測定のための前記アップリンクリソースの使用を制限する、請求項７７に記載の方法。
【請求項８３】
前記セル固有リソースは、ランダムアクセスチャネル（ＲＡＣＨ）リソースを備え、前記方法は、
ＲＡＣＨ負荷を測定することを更に備え、前記インジケーションは、前記ＲＡＣＨ負荷に基づいて、前記ＭＰＥ測定のための前記ＲＡＣＨリソースの使用を制限する、請求項８２に記載の方法。
【請求項８４】
前記ＭＰＥ測定のためのライズオーバサーマル閾値を構成すること
を更に備える、請求項７７に記載の方法。
【請求項８５】
ＭＰＥ測定のための前記ＵＥからの送信が前記基地局において受信され得る最大受信電力を構成すること
を更に備える、請求項７７に記載の方法。
【請求項８６】
前記セル固有リソースの使用を制御することは、前記ＵＥに前記ＭＰＥ測定のためのスケジュールされた期間を送信することを含む、請求項７７に記載の方法。
【請求項８７】
前記ＭＰＥ測定のための前記スケジュールされた期間は、前記ＵＥのための保留中のアップリンクデータ送信に基づく、請求項８６に記載の方法。
【請求項８８】
前記ＭＰＥ測定を実行するために、複数のＵＥをグループ化すること
を更に備える、請求項７７に記載の方法。
【請求項８９】
前記グループ化は、異なる経路損失を有する前記複数のＵＥに基づく、請求項８８に記載の方法。
【請求項９０】
前記セル固有リソースは、ダウンリンクリソースを備える、請求項７７に記載の方法。
【請求項９１】
基地局におけるワイヤレス通信のための装置であって、
メモリと、
前記メモリに結合され、
ユーザ機器（ＵＥ）が最大許容ばく露量（ＭＰＥ）測定を実行し得るセル固有リソースを構成することと、
前記ＭＰＥ測定のための前記セル固有リソースの使用を制御することと
を行うように構成された少なくとも１つのプロセッサと
を備える、装置。
【請求項９２】
前記セル固有リソースは、ランダムアクセスチャネル（ＲＡＣＨ）リソース、ビーム障害回復リソース、又はスケジューリング要求リソースのうちの少なくとも１つを備える、請求項９１に記載の装置。
【請求項９３】
前記セル固有リソースの使用を制御することは、アップリンクリソースが前記ＭＰＥ測定のために使用され得るというインジケーションを送信することを含む、請求項９１に記載の装置。
【請求項９４】
前記セル固有リソースの使用を制御することは、アップリンクリソースが前記ＭＰＥ測定のために使用されないことがあるというインジケーションを送信することを含む、請求項９１に記載の装置。
【請求項９５】
前記セル固有リソースの使用を制御することは、アップリンクリソースが前記ＭＰＥ測定のために使用され得るときを統制するパラメータを設定することを含む、請求項９１に記載の装置。
【請求項９６】
前記セル固有リソースの使用を制御することは、前記ＭＰＥ測定のためのアップリンクリソースの使用に関するインジケーションを送信することを含み、前記インジケーションは、マスタ情報ブロック（ＭＩＢ）、システム情報ブロック（ＳＩＢ）、媒体アクセス制御（ＭＡＣ）制御要素（ＣＥ）、ダウンリンク制御情報（ＤＣＩ）、又は無線リソース制御（ＲＲＣ）メッセージのうちの少なくとも１つ中にパラメータを備え、前記インジケーションは、前記ＭＰＥ測定のための前記アップリンクリソースの使用を制限する、請求項９１に記載の装置。
【請求項９７】
前記セル固有リソースは、ランダムアクセスチャネル（ＲＡＣＨ）リソースを備え、前記少なくとも１つのプロセッサは、
ＲＡＣＨ負荷を測定することを行うように更に構成され、前記インジケーションは、前記ＲＡＣＨ負荷に基づいて、前記ＭＰＥ測定のための前記ＲＡＣＨリソースの使用を制限する、請求項９６に記載の装置。
【請求項９８】
前記少なくとも１つのプロセッサは、
前記ＭＰＥ測定のためのライズオーバサーマル閾値を構成すること
を行うように更に構成される、請求項９１に記載の装置。
【請求項９９】
前記少なくとも１つのプロセッサは、
ＭＰＥ測定のための前記ＵＥからの送信が前記基地局において受信され得る最大受信電力を構成すること
を行うように更に構成される、請求項９１に記載の装置。
【請求項１００】
前記セル固有リソースの使用を制御することは、前記ＵＥに前記ＭＰＥ測定のためのスケジュールされた期間を送信することを含む、請求項９１に記載の装置。
【請求項１０１】
前記ＭＰＥ測定のための前記スケジュールされた期間は、前記ＵＥのための保留中のアップリンクデータ送信に基づく、請求項１００に記載の装置。
【請求項１０２】
前記少なくとも１つのプロセッサは、
前記ＭＰＥ測定を実行するために、複数のＵＥをグループ化すること
を行うように更に構成される、請求項９１に記載の装置。
【請求項１０３】
前記グループ化は、異なる経路損失を有する前記複数のＵＥに基づく、請求項１０２に記載の装置。
【請求項１０４】
前記セル固有リソースは、ダウンリンクリソースを備える、請求項９１に記載の装置。
【請求項１０５】
基地局におけるワイヤレス通信のための装置であって、
ユーザ機器（ＵＥ）が最大許容ばく露量（ＭＰＥ）測定を実行し得るセル固有リソースを構成するための手段と、
前記ＭＰＥ測定のための前記セル固有リソースの使用を制御するための手段と
を備える、装置。
【請求項１０６】
前記セル固有リソースは、ランダムアクセスチャネル（ＲＡＣＨ）リソースを備え、前記装置は、
ＲＡＣＨ負荷を測定するための手段を更に備え、前記セル固有リソースの前記使用を制御することは、前記ＲＡＣＨ負荷に基づいて、前記ＭＰＥ測定のための前記ＲＡＣＨリソースの使用を制限する、請求項１０５に記載の装置。
【請求項１０７】
前記ＭＰＥ測定のためのライズオーバサーマル閾値を構成するための手段
を更に備える、請求項１０５に記載の装置。
【請求項１０８】
ＭＰＥ測定のための前記ＵＥからの送信が前記基地局において受信され得る最大受信電力を構成するための手段
を更に備える、請求項１０５に記載の装置。
【請求項１０９】
前記ＭＰＥ測定を実行するために、複数のＵＥをグループ化するための手段
を更に備える、請求項１０５に記載の装置。
【請求項１１０】
基地局におけるワイヤレス通信のためのコンピュータ実行可能コードを記憶するコンピュータ可読媒体であって、前記コンピュータ実行可能コードは、
ユーザ機器（ＵＥ）が最大許容ばく露量（ＭＰＥ）測定を実行し得るセル固有リソースを構成することと、
前記ＭＰＥ測定のための前記セル固有リソースの使用を制御することと
を行うためのコードを備える、コンピュータ可読媒体。
【請求項１１１】
前記セル固有リソースは、ランダムアクセスチャネル（ＲＡＣＨ）リソースを備え、
ＲＡＣＨ負荷を測定することを行うためのコードを更に備え、前記ＭＰＥ測定のための前記ＲＡＣＨリソースの使用は、前記ＲＡＣＨ負荷に基づいて制限される、請求項１１０に記載のコンピュータ可読媒体。
【請求項１１２】
前記ＭＰＥ測定のためのライズオーバサーマル閾値を構成すること
を行うためのコードを更に備える、請求項１１０に記載のコンピュータ可読媒体。
【請求項１１３】
ＭＰＥ測定のための前記ＵＥからの送信が前記基地局において受信され得る最大受信電力を構成すること
を行うためのコードを更に備える、請求項１１０に記載のコンピュータ可読媒体。
【請求項１１４】
前記ＭＰＥ測定を実行するために、複数のＵＥをグループ化すること
を行うためのコードを更に備える、請求項１１０に記載のコンピュータ可読媒体。
【発明の詳細な説明】
【技術分野】
【０００１】
[0001]  本特許出願は、本出願の譲受人に譲渡された、２０１７年１２月２２日に出願された「EXPOSURE DETECTION IN MILLIMETER WAVE SYSTEMS」と題された米国特許出願第１５／８５２，７４３号の優先権を主張する。
【０００２】
[0002]  本開示は、一般に通信システムに関し、より詳細には、ミリメートル波（ｍｍＷ：millimeter wave）ワイヤレス通信システムにおける、ばく露検出（exposure detection）に関する。
【背景技術】
【０００３】
[0003]  ワイヤレス通信システムは、電話通信、ビデオ、データ、メッセージング、及びブロードキャストなどの様々な電気通信サービスを提供するために広く展開されている。典型的なワイヤレス通信システムは、利用可能なシステムリソースを共有することによって複数のユーザとの通信をサポートすることが可能な多元接続技術を用い得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、及び時分割同期符号分割多元接続（ＴＤ−ＳＣＤＭＡ）システムを含む。
【０００４】
[0004]  これらの多元接続技術は、異なるワイヤレスデバイスが、都市、国家、地域、更には地球規模で通信することを可能にする共通プロトコルを提供するために、様々な電気通信規格において採用されてきた。実例的な電気通信規格は、５Ｇニューラジオ（ＮＲ：New Radio）である。５Ｇは、レイテンシ（latency）、信頼性、セキュリティ、（例えば、モノのインターネット（ＩｏＴ：Internet of Things）を用いた）スケーラビリティ、及び他の要件に関連付けられた新しい要件を満たすために、第３世代パートナーシッププロジェクト（３ＧＰＰ（登録商標））によって公表された連続的なモバイルブロードバンドの進化の一部である。５Ｇのいくつかの態様は、４Ｇロングタームエボリューション（ＬＴＥ（登録商標）：Long Term Evolution）規格に基づき得る。５Ｇ技術における更なる改善の必要性が存在する。これらの改善はまた、他の多元接続技術及びこれらの技術を用いる電気通信規格に適用可能であり得る。
【０００５】
[0005]  ばく露制限（Exposure limits）は、ワイヤレスデバイスからの無線周波数（ＲＦ：Radio Frequency）放射（radiation）を制限する（limit）ために課される。例えば、比吸収率（ＳＡＲ：specific absorption rate）制限は、サブ６キャリア（sub-6 carrier）中で通信する、例えば、６ＧＨｚ未満のスペクトル帯域中で通信するワイヤレスデバイスに課される。最大許容ばく露量（ＭＰＥ：maximum permissible exposure）制限は、６ＧＨｚより上で通信するワイヤレスデバイスに課される。ｍｍＷシステム中の高い経路損失では、より高い等価等方放射電力（ＥＩＲＰ：Equivalent Isotropically Radiated Power）が所望され得、それは、ビームステアリング（beam steering）によって達成され得る。しかしながら、ハンドヘルドデバイスからのｍｍＷビームは、人の身体に向けられたときにＭＰＥ制限に違反するかもしれない。
【発明の概要】
【０００６】
[0006]  以下は、１つ又は複数の態様の基本的な理解を提供するために、そのような態様の簡略化された概要を提示する。この概要は、全ての企図された態様の広範な概観ではなく、全ての態様の基幹的要素又は重要な要素を識別することも、任意の態様又は全ての態様の範囲を叙述することも意図されない。その唯一の目的は、後に提示されるより詳細な説明への前置きとして、簡略化された形式で１つ又は複数の態様のいくつかの概念を提示することである。
【０００７】
[0007]  ｍｍＷシステムのための自由空間及び他の損失（free space and other loss）は、サブ６キャリア中で通信するシステム中でより遙かに高いので、送信のためのより高いＥＩＲＰが典型的には所望される。より高いＥＩＲＰは、アンテナアレイ（antenna array）を使用してビームを所望される方向にステアリングすることによって達成され得る。ユーザ機器設計は、実際には、ＥＩＲＰ制限より遙かに低い制限で動作し得るが、ハンドヘルドデバイスによって人の皮膚に向けられたビームが、ＥＩＲＰ制限を満たしながらも、ＭＰＥ制限に違反する可能性があるという問題があり得る。
【０００８】
[0008]  ＭＰＥ制限が常に満たされることを保証するための静的電力制限は、不十分なアップリンク範囲につながる電力の実質的なバックオフを必要とする可能性がある。従って、ＵＥは、ばく露（exposure）を測定し、適合性（conformance）を保証するために多様な方法で応答し得る。例えば、ＵＥは、人、例えば、手又は他の身体部分の存在を検出するために、帯域内ばく露測定（in band exposure measurement）を実行し得る。しかしながら、帯域内測定（in band measurement）は、通信システム内のデータ又は制御送信への干渉を引き起こし得る。加えて、帯域内測定は、通信システム中の他の送信に起因して不正確であり得る。通信システム内の他の送信への干渉を引き起こすことなく正確なばく露測定を行うために、ＵＥは、ＭＰＥ測定のためのセル固有リソース（cell specific resource）に基づいて測定（measurement）を行い得る。ＵＥはその後、測定に基づいて送信特性（transmission characteristic）を調整する（adjust）かどうかを決定し得る。
【０００９】
[0009]  本開示のある態様では、ユーザ機器（user equipment）におけるワイヤレス通信（wireless communication）のための方法（method）、コンピュータ可読媒体（computer-readable medium）、及び装置（apparatus）が提供される。装置は、セル固有リソース、例えば、ＭＰＥ測定に利用可能なセル固有リソースを備えるインジケーション（indication）を受信する。装置はその後、セル固有リソースに基づいて、測定を実行し、測定値が閾値（threshold）を満たすかどうかに基づいて、ユーザ機器の送信特性を調整するかどうかを決定する。
【００１０】
[0010]  本開示の別の態様では、基地局（base station）におけるワイヤレス通信のための方法、コンピュータ可読媒体、及び装置が提供される。装置は、ユーザ機器がＭＰＥ測定を実行し得るセル固有リソースを構成し、ＭＰＥ測定のためのセル固有リソースの使用（use）を制御する（control）。
【００１１】
[0011]  前述の目的及び関連する目的の達成のために、１つ又は複数の態様は、以下において十分に説明され、且つ特許請求の範囲で特に指摘される特徴を備える。以下の説明及び付属の図面は、１つ又は複数の態様のある特定の例示的な特徴を詳細に記載する。これらの特徴は、しかしながら、様々な態様の原理が用いられ得る様々な方法のうちのほんの一部を示しているに過ぎず、この説明は、全てのそのような態様及びそれらの同等物を含むことを意図される。
【図面の簡単な説明】
【００１２】
【図１】[0012]  ワイヤレス通信システム及びアクセスネットワークの例を例示する図である。
【図２Ａ】[0013]  ５Ｇ／ＮＲフレーム構造のためのＤＬサブフレームの例を例示する図である。
【図２Ｂ】５Ｇ／ＮＲフレーム構造のためのＤＬサブフレーム内のＤＬチャネルの例を例示する図である。
【図２Ｃ】５Ｇ／ＮＲフレーム構造のためのＵＬサブフレームの例を例示する図である。
【図２Ｄ】５Ｇ／ＮＲフレーム構造のためのＵＬサブフレーム内のＵＬチャネルの例を例示する図である。
【図３】[0014]  アクセスネットワーク中の基地局及びユーザ機器（ＵＥ：user equipment）の一例を例示する図である。
【図４】[0015]  ＵＥと通信状態にある基地局を例示する図である。
【図５】[0016]  異なる通信システム中のＲＦばく露を例示する図である。
【図６】[0017]  ばく露測定の一例を例示する。
【図７】[0018]  帯域内ばく露測定の一例を例示する。
【図８】[0019]  ワイヤレス通信の方法のフローチャートである。
【図９】[0020]  例証的な装置中の異なる手段／コンポーネント間のデータフローを例示する概念的なデータフロー図である。
【図１０】[0021]  処理システムを用いる装置のためのハードウェアインプリメンテーションの一例を例示する図である。
【図１１】[0022]  ワイヤレス通信の方法のフローチャートである。
【図１２】[0023]  例証的な装置中の異なる手段／コンポーネント間のデータフローを例示する概念的なデータフロー図である。
【図１３】[0024]  処理システムを用いる装置のためのハードウェアインプリメンテーションの一例を例示する図である。
【詳細な説明】
【００１３】
[0025]  添付された図面に関連して以下に記載される詳細な説明は、様々な構成の説明として意図され、本明細書で説明される概念が実施され得る唯一の構成を表すことを意図されない。詳細な説明は、様々な概念の完全な理解を提供することを目的とした特定の詳細を含む。しかしながら、これらの概念がこれらの特定の詳細なしに実施され得ることは当業者にとって明らかであろう。いくつかの事例では、よく知られている構造及びコンポーネントは、そのような概念を曖昧にすることを避けるためにブロック図形式で示されている。
【００１４】
[0026]  ここで、電気通信システムのいくつかの態様が、様々な装置及び方法を参照して提示されることになる。これらの装置及び方法は、以下の詳細な説明において説明され、様々なブロック、コンポーネント、回路、プロセス、アルゴリズム、等（一括して「要素（element）」と呼ばれる）によって添付の図面に例示されることになる。これらの要素は、電子ハードウェア、コンピュータソフトウェア、又はそれらの任意の組み合わせを使用してインプリメントされ得る。そのような要素がハードウェアとしてインプリメントされるか、又はソフトウェアとしてインプリメントされるかは、特定のアプリケーションとシステム全体上に課せられる設計制約とに依存する。
【００１５】
[0027]  例として、要素、又は要素の任意の一部分、又は要素の任意の組み合わせは、１つ又は複数のプロセッサを含む「処理システム」としてインプリメントされ得る。プロセッサの例は、マイクロプロセッサ、マイクロコントローラ、グラフィックス処理ユニット（ＧＰＵ）、中央処理ユニット（ＣＰＵ）、アプリケーションプロセッサ、デジタルシグナルプロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブルロジックデバイス（ＰＬＤ）、ステートマシン、ゲートロジック、ディスクリートハードウェア回路、及びこの開示全体を通じて説明される様々な機能を実行するように構成された他の適したハードウェアを含む。処理システム中の１つ又は複数のプロセッサは、ソフトウェアを実行し得る。ソフトウェアは、ソフトウェア、ファームウェア、ミドルウェア、マイクロコード、ハードウェア記述言語、又はその他の名称で呼ばれるかにかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数、等を意味するように広く解釈されるべきである。
【００１６】
[0028]  それ故に、１つ又は複数の実例的な実施形態では、説明される機能は、ハードウェア、ソフトウェア、又はそれらの任意の組み合わせにおいてインプリメントされ得る。ソフトウェアにおいてインプリメントされる場合、機能は、コンピュータ可読媒体上で１つ又は複数の命令又はコードとして記憶又は符号化され得る。コンピュータ可読媒体は、コンピュータ記憶媒体を含む。記憶媒体は、コンピュータによってアクセスされることができる任意の利用可能な媒体であり得る。限定ではなく例として、そのようなコンピュータ可読媒体は、ランダムアクセスメモリ（ＲＡＭ）、読取専用メモリ（ＲＯＭ）、電気的消去可能プログラマブルＲＯＭ（ＥＥＰＲＯＭ（登録商標））、光ディスク記憶装置、磁気ディスク記憶装置、他の磁気記憶デバイス、前述されたタイプのコンピュータ可読媒体の組み合わせ、又はコンピュータによってアクセスされることができるデータ構造若しくは命令の形式でコンピュータ実行可能コード（computer executable code）を記憶するために使用されることができる任意の他の媒体を備えることができる。
【００１７】
[0029]  図１は、ワイヤレス通信システム及びアクセスネットワーク１００の例を例示する図である。（ワイヤレスワイドエリアネットワーク（ＷＷＡＮ）とも呼ばれる）ワイヤレス通信システムは、基地局１０２、ＵＥ１０４、及び発展型パケットコア（ＥＰＣ）１６０を含む。基地局１０２は、マクロセル（高電力セルラ基地局）及び／又はスモールセル（低電力セルラ基地局）を含み得る。マクロセルは、基地局を含む。スモールセルは、フェムトセル、ピコセル、及びマイクロセルを含む。
【００１８】
[0030]  （一括して発展型ユニバーサルモバイル電気通信システム（ＵＭＴＳ）地上無線アクセスネットワーク（Ｅ−ＵＴＲＡＮ）と呼ばれる）基地局１０２は、バックホールリンク（backhaul link）１３２（例えば、Ｓ１インターフェース）を通じてＥＰＣ１６０とインターフェースする。他の機能に加えて、基地局１０２は、以下の機能のうちの１つ又は複数を実行し得る：ユーザデータの転送、無線チャネル暗号化及び暗号解読、インテグリティ保護、ヘッダ圧縮、モビリティ制御機能（例えば、ハンドオーバ、デュアルコネクティビティ）、セル間干渉協調、接続セットアップ及び解放、負荷バランシング、非アクセス層（ＮＡＳ）メッセージのための分配、ＮＡＳノード選択、同期、無線アクセスネットワーク（ＲＡＮ）共有、マルチメディアブロードキャストマルチキャストサービス（ＭＢＭＳ：Multimedia Broadcast Multicast Service）、加入者及び機器トレース、ＲＡＮ情報管理（ＲＩＭ）、ページング、測位、及び警告メッセージの配信。基地局１０２は、バックホールリンク１３４（例えば、Ｘ２インターフェース）を通して互いと直接又は間接的に（例えば、ＥＰＣ１６０を通じて）通信し得る。バックホールリンク１３４は、ワイヤード又はワイヤレスであり得る。
【００１９】
[0031]  基地局１０２は、ＵＥ１０４とワイヤレスに通信し得る。基地局１０２の各々は、それぞれの地理的カバレッジエリア１１０に対して通信カバレッジを提供し得る。重複している地理的カバレッジエリア１１０が存在し得る。例えば、スモールセル１０２’は、１つ又は複数のマクロ基地局１０２のカバレッジエリア１１０に重複するカバレッジエリア１１０’を有し得る。スモールセルとマクロセルとの両方を含むネットワーク（network）は、異種ネットワークとして知られ得る。異種ネットワークはまた、ホーム発展型ノードＢ（ｅＮＢ）（ＨｅＮＢ）を含み得、それは、限定加入者グループ（ＣＳＧ：closed subscriber group）として知られる制限されたグループにサービスを提供し得る。基地局１０２とＵＥ１０４との間の通信リンク１２０は、ＵＥ１０４から基地局１０２への（逆方向リンクとも呼ばれる）アップリンク（ＵＬ）送信及び／又は基地局１０２からＵＥ１０４への（順方向リンクとも呼ばれる）ダウンリンク（ＤＬ）送信を含み得る。通信リンク１２０は、空間多重化、ビームフォーミング、及び／又は送信ダイバーシティを含む、多入力多出力（ＭＩＭＯ）アンテナ技術を使用し得る。通信リンクは、１つ又は複数のキャリア（carrier）を通り得る。基地局１０２／ＵＥ１０４は、各方向への送信のために使用される最大で合計Ｙｘ ＭＨｚ（ｘ個のコンポーネントキャリア）のキャリアアグリゲーションにおいて割り振られるキャリア当たり最大Ｙ ＭＨｚ（例えば、５、１０、１５、２０、１００ＭＨｚ）帯域幅のスペクトルを使用し得る。キャリアは、互いに隣接していることもしていないこともある。キャリアの割り振りは、ＤＬ及びＵＬに対して非対称であり得る（例えば、ＵＬに対してよりも多くの又は少ないキャリアがＤＬに対して割り振られ得る）。コンポーネントキャリアは、１つのプライマリコンポーネントキャリアと１つ又は複数のセカンダリコンポーネントキャリアとを含み得る。プライマリコンポーネントキャリアは、プライマリセル（ＰＣｅｌｌ：primary cell）と呼ばれ得、セカンダリコンポーネントキャリアは、セカンダリセル（ＳＣｅｌｌ：secondary cell）と呼ばれ得る。
【００２０】
[0032]  ある特定のＵＥ１０４は、デバイス間（Ｄ２Ｄ：device-to-device）通信リンク１９２を使用して互いと通信し得る。Ｄ２Ｄ通信リンク１９２は、ＤＬ／ＵＬ ＷＷＡＮスペクトルを使用し得る。Ｄ２Ｄ通信リンク１９２は、物理サイドリンクブロードキャストチャネル（ＰＳＢＣＨ：physical sidelink broadcast channel）、物理サイドリンク発見チャネル（ＰＳＤＣＨ：physical sidelink discovery channel）、物理サイドリンク共有チャネル（ＰＳＳＣＨ：physical sidelink shared channel）、及び物理サイドリンク制御チャネル（ＰＳＣＣＨ：physical sidelink control channel）など、１つ又は複数のサイドリンクチャネルを使用し得る。Ｄ２Ｄ通信は、例えば、ＦｌａｓｈＬｉｎＱ、ＷｉＭｅｄｉａ、Ｂｌｕｅｔｏｏｔｈ（登録商標）、ＺｉｇＢｅｅ、ＩＥＥＥ８０２．１１規格に基づくＷｉ−Ｆｉ、ＬＴＥ、又はＮＲなど、多様なワイヤレスＤ２Ｄ通信システムを通り得る。
【００２１】
[0033]  ワイヤレス通信システムは更に、５ＧＨｚのアンライセンス周波数スペクトル（unlicensed frequency spectrum）中で通信リンク１５４を介してＷｉ−Ｆｉ局（ＳＴＡ：station）１５２と通信状態にあるＷｉ−Ｆｉアクセスポイント（ＡＰ：access point）１５０を含み得る。アンライセンス周波数スペクトル中で通信するとき、ＳＴＡ１５２／ＡＰ１５０は、チャネルが利用可能かどうかを決定するために、通信するより前にクリアチャネル評価（ＣＣＡ：clear channel assessment）を実行し得る。
【００２２】
[0034]  スモールセル１０２’は、ライセンス及び／又はアンライセンス周波数スペクトル中で動作し得る。アンライセンス周波数スペクトル中で動作するとき、スモールセル１０２’は、５Ｇを用い、Ｗｉ−Ｆｉ ＡＰ１５０によって使用されるのと同じ５ＧＨｚのアンライセンス周波数スペクトルを使用し得る。アンライセンス周波数スペクトル中で５Ｇを用いるスモールセル１０２’は、アクセスネットワークへのカバレージを強化及び／又はアクセスネットワークの容量を増大させ得る。
【００２３】
[0035]  ｇノードＢ（ｇＮＢ）１８０は、ＵＥ１０４と通信状態にあるミリメートル波（ｍｍＷ）周波数及び／又はニア（near）ｍｍＷ周波数で動作し得る。ｇＮＢ１８０がｍｍＷ又はニアｍｍＷ周波数で動作するとき、ｇＮＢ１８０は、ｍｍＷ基地局と呼ばれ得る。極極極超短波（ＥＨＦ：extremely high frequency）は、電磁スペクトル中のＲＦの一部である。ＥＨＦは、３０ＧＨｚ〜３００ＧＨｚの範囲及び１ミリメートルと１０ミリメートルとの間の波長を有する。前記帯域中の電波（Radio waves）は、ミリメートル波と呼ばれ得る。ニアｍｍＷは、１００ミリメートルの波長を有する３ＧＨｚの周波数まで下がって広がり得る。極極超短波（ＳＨＦ：super high frequency）帯域は、３ＧＨｚと３０ＧＨｚとの間に広がり、センチメートル波とも呼ばれる。ｍｍＷ／ニアｍｍＷ無線周波数帯域を使用する通信は、極めて高い経路損失及び短い距離（extremely high path loss and a short range）を有する。ｍｍＷ基地局１８０は、極めて高い経路損失及び短い距離を補償するために、ＵＥ１０４とのビームフォーミング（beamforming）１８４を利用し得る。
【００２４】
[0036]  ＥＰＣ１６０は、モビリティ管理エンティティ（ＭＭＥ）１６２、他のＭＭＥ１６４、サービングゲートウェイ１６６、マルチメディアブロードキャストマルチキャストサービス（ＭＢＭＳ）ゲートウェイ１６８、ブロードキャストマルチキャストサービスセンター（ＢＭ−ＳＣ）１７０、及びパケットデータネットワーク（ＰＤＮ）ゲートウェイ１７２を含み得る。ＭＭＥ１６２は、ホーム加入者サーバ（ＨＳＳ）１７４と通信状態にあり得る。ＭＭＥ１６２は、ＵＥ１０４とＥＰＣ１６０との間でのシグナリングを処理する制御ノードである。一般に、ＭＭＥ１６２は、ベアラ及び接続管理を提供する。全てのユーザインターネットプロトコル（ＩＰ）パケットは、サービングゲートウェイ１６６を通じて転送され、それ自体は、ＰＤＮゲートウェイ１７２に接続される。ＰＤＮゲートウェイ１７２は、ＵＥ ＩＰアドレス割り振り並びに他の機能を提供する。ＰＤＮゲートウェイ１７２及びＢＭ−ＳＣ１７０は、ＩＰサービス１７６に接続される。ＩＰサービス１７６は、インターネット、イントラネット、ＩＰマルチメディアサブシステム（ＩＭＳ）、ＰＳストリーミングサービス、及び／又は他のＩＰサービスを含み得る。ＢＭ−ＳＣ１７０は、ＭＢＭＳユーザサービスプロビジョニング及び配信のための機能を提供し得る。ＢＭ−ＳＣ１７０は、コンテンツプロバイダＭＢＭＳ送信のためのエントリポイントとしての役割を果たし得、公衆陸上モバイルネットワーク（ＰＬＭＮ：a public land mobile network）内でＭＢＭＳベアラサービスを認可及び開始するために使用され得、ＭＢＭＳ送信をスケジュールする（schedule）ために使用され得る。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを分配するために使用され得、セッション管理（開始／停止）と、ｅＭＢＭＳに関連する課金情報（charging information）を収集することとを担い得る。
【００２５】
[0037]  基地局はまた、ｇＮＢ、ノードＢ、発展型ノードＢ（ｅＮＢ）、アクセスポイント、ベーストランシーバ局、無線基地局、無線トランシーバ、トランシーバ機能、基本サービスセット（ＢＳＳ）、拡張サービスセット（ＥＳＳ）、又は何らかの他の適した専門用語で呼ばれ得る。基地局１０２は、ＵＥ１０４にＥＰＣ１６０へのアクセスポイントを提供する。ＵＥ１０４の例は、セルラ電話、スマートフォン、セッション開始プロトコル（ＳＩＰ）フォン、ラップトップ、携帯情報端末（ＰＤＡ）、衛星ラジオ、全地球測位システム、マルチメディアデバイス、ビデオデバイス、デジタルオーディオプレーヤ（例えば、ＭＰ３プレーヤ）、カメラ、ゲームコンソール、タブレット、スマートデバイス、ウェアラブルデバイス、ビークル、電気メータ、ガスポンプ、大型若しくは小型キッチン機器、ヘルスケアデバイス、インプラント、ディスプレイ、又は任意の他の同様の機能デバイスを含む。ＵＥ１０４のうちのいくつかは、ＩｏＴデバイス（例えば、パーキングメータ、ガスポンプ、トースタ、ビークル、心臓モニタ、等）と呼ばれ得る。ＵＥ１０４はまた、局、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又は何らかの他の適した専門用語で呼ばれ得る。
【００２６】
[0038]  再び図１を参照すると、ある特定の態様では、ＵＥ１０４は、例えば、図５〜１０に関連して説明されたように、ばく露測定（exposure measurement）を実行するように構成されたばく露測定コンポーネント（exposure measurement component）１９８を用いて構成され得る。ある特定の態様では、基地局１８０は、例えば、図５〜７及び１１〜１３に関連して説明されたように、ばく露測定のためのセル固有リソースを構成する（configure）ために、及び／又はばく露測定のためのセル固有リソースの使用を制御するために、ばく露測定リソースコンポーネント（exposure measurement resource component）１９９を用いて構成され得る。
【００２７】
[0039]  図２Ａは、５Ｇ／ＮＲフレーム構造内のＤＬサブフレームの一例を例示する図２００である。図２Ｂは、ＤＬサブフレーム内のチャネルの一例を例示する図２３０である。図２Ｃは、５Ｇ／ＮＲフレーム構造内のＵＬサブフレームの一例を例示する図２５０である。図２Ｄは、ＵＬサブフレーム内のチャネルの一例を例示する図２８０である。５Ｇ／ＮＲフレーム構造は、サブキャリアの特定のセット（キャリアシステム帯域幅）について、サブキャリアのセット内のサブフレームがＤＬ又はＵＬのいずれかに専用であるＦＤＤであり得るか、又はサブキャリアの特定のセット（キャリアシステム帯域幅）について、サブキャリアのセット内のサブフレームがＤＬとＵＬとの両方に専用であるＴＤＤであり得る。図２Ａ、２Ｃによって提供される例では、５Ｇ／ＮＲフレーム構造は、ＴＤＤであると仮定され、サブフレーム４は、ＤＬサブフレームであり、サブフレーム７は、ＵＬサブフレームである。サブフレーム４は、ＤＬのみを提供するものとして例示され、サブフレーム７は、ＵＬのみを提供するものとして例示されているが、任意の特定のサブフレームは、ＵＬとＤＬとの両方を提供する異なるサブセット（subset）に分割され得る。以下の説明は、ＦＤＤである５Ｇ／ＮＲフレーム構造にも当てはまることに留意されたい。
【００２８】
[0040]  他のワイヤレス通信技術は、異なるフレーム構造及び／又は異なるチャネルを有し得る。フレーム（１０ｍｓ）は、１０個の等しいサイズのサブフレーム（１ｍｓ）に分割され得る。各サブフレームは、１つ又は複数のタイムスロットを含み得る。各スロット（slot）は、スロット構成に応じて、７つ又は１４個のシンボル（symbol）を含み得る。スロット構成０の場合、各スロットは、１４個のシンボルを含み得、スロット構成１の場合、各スロットは、７つのシンボルを含み得る。サブフレーム内のスロットの数は、スロット構成及びヌメロロジ（numerology）に基づく。スロット構成０の場合、異なるヌメロロジ０〜５は、サブフレーム当たり、それぞれ、１、２、４、８、１６、及び３２個のスロットを許容する。スロット構成１の場合、異なるヌメロロジ０〜２は、サブフレーム当たり、それぞれ、２、４、及び８つのスロットを許容する。サブキャリア間隔及びシンボル長／持続時間は、ヌメロロジの関数である。サブキャリア間隔は、２μ＊１５ｋＫｚに等しくあり得、ここで、μは、ヌメロロジ０〜５である。シンボル長／持続時間は、サブキャリア間隔に反比例する。図２Ａ、２Ｃは、スロット当たり７つのシンボルを有するスロット構成１、及びサブフレーム当たり２つのスロットを有するヌメロロジ０の例を提供する。サブキャリア間隔は、１５ｋＨｚであり、シンボル持続時間は、約６６．７μｓである。
【００２９】
[0041]  フレーム構造を表すために、リソースグリッド（resource grid）が使用され得る。各タイムスロットは、１２個の連続したサブキャリアを拡張するリソースブロック（ＲＢ：resource block）（物理ＲＢ（ＰＲＢ）とも呼ばれる）を含む。リソースグリッドは、複数のリソース要素（ＲＥ：resource element）に分割される。各ＲＥによって搬送されるビットの数は、変調スキームに依存する。
【００３０】
[0042]  図２Ａに例示されるように、ＲＥのうちのいくつかは、（Ｒとして示される）ＵＥのための基準（パイロット）信号（ＲＳ：reference signal）を搬送する。ＲＳは、ＵＥにおけるチャネル推定のためのチャネル状態情報基準信号（ＣＳＩ−ＲＳ：channel state information reference signal）及び復調ＲＳ（ＤＭ−ＲＳ）を含み得る。ＲＳはまた、ビーム測定ＲＳ（ＢＲＳ）、ビーム精製ＲＳ（ＢＲＲＳ）、及び位相追跡ＲＳ（ＰＴ−ＲＳ）を含み得る。
【００３１】
[0043]  図２Ｂは、フレームのＤＬサブフレーム内の様々なチャネルの一例を例示する。物理制御フォーマットインジケータチャネル（ＰＣＦＩＣＨ：physical control format indicator channel）は、スロット０のシンボル０内にあり、物理ダウンリンク制御チャネル（ＰＤＣＣＨ：physical downlink control channel）が１つのシンボルを占有するか、２つのシンボルを占有するか、又は３つのシンボルを占有するかを示す制御フォーマットインジケータ（ＣＦＩ：control format indicator）を搬送する（図２Ｂは、３つのシンボルを占有するＰＤＣＣＨを例示している）。ＰＤＣＣＨは、１つ又は複数の制御チャネル要素（ＣＣＥ：control channel element）内のダウンリンク制御情報（ＤＣＩ：Downlink Control Information）を搬送し、各ＣＣＥは、９つのＲＥグループ（ＲＥＧ）を含み、各ＲＥＧは、ＯＦＤＭシンボル中に４つの連続したＲＥを含む。ＵＥは、これもまたＤＣＩを搬送するＵＥ固有拡張ＰＤＣＣＨ（ｅＰＤＣＣＨ）で構成され得る。ｅＰＤＣＣＨは、２つ、４つ、又は８つのＲＢペアを有し得る（図２Ｂは、２つのＲＢペアを示しており、各サブセットは、１つのＲＢペアを含む）。物理ハイブリッド自動再送要求（ＡＲＱ）（ＨＡＲＱ）インジケータチャネル（ＰＨＩＣＨ：physical hybrid automatic repeat request (ARQ) (HARQ) indicator channel）もまた、スロット０のシンボル０内にあり、物理アップリンク共有チャネル（ＰＵＳＣＨ：physical uplink shared channel）に基づいてＨＡＲＱ確認応答（ＡＣＫ）／否定ＡＣＫ（ＮＡＣＫ）フィードバックを示すＨＡＲＱインジケータ（ＨＩ）を搬送する。プライマリ同期チャネル（ＰＳＣＨ：primary synchronization channel）は、フレームのサブフレーム０及び５内のスロット０のシンボル６内にあり得る。ＰＳＣＨは、サブフレーム／シンボルタイミング及び物理レイヤアイデンティティを決定するためにＵＥ１０４によって使用されるプライマリ同期信号（ＰＳＳ：primary synchronization signal）を搬送する。セカンダリ同期チャネル（ＳＳＣＨ：secondary synchronization channel）は、フレームのサブフレーム０及び５内のスロット０のシンボル５内にあり得る。ＳＳＣＨは、物理レイヤセルアイデンティティグループ番号及び無線フレームタイミングを決定するためにＵＥによって使用されるセカンダリ同期信号（ＳＳＳ：secondary synchronization signal）を搬送する。物理レイヤアイデンティティ及び物理レイヤセルアイデンティティグループ番号に基づいて、ＵＥは、物理セル識別子（ＰＣＩ：physical cell identifier）を決定することができる。ＰＣＩに基づいて、ＵＥは、前述されたＤＬ−ＲＳのロケーションを決定することができる。マスタ情報ブロック（ＭＩＢ：Master Information Block）を搬送する物理ブロードキャストチャネル（ＰＢＣＨ：physical broadcast channel）は、同期信号（ＳＳ：synchronization signal）／ＰＢＣＨブロックを形成するために、ＰＢＣＨ及びＳＳＣＨと共に論理的にグループ化され得る。ＭＩＢは、ＤＬシステム帯域幅中のＲＢの数、ＰＨＩＣＨ構成、及びシステムフレーム番号（ＳＦＮ：system frame number）を提供する。物理ダウンリンク共有チャネル（ＰＤＳＣＨ：physical downlink shared channel）は、ページングメッセージ、システム情報ブロック（ＳＩＢ：system information block）などのＰＢＣＨを通じて送信されないブロードキャストシステム情報、及びユーザデータを搬送する。
【００３２】
[0044]  図２Ｃに例示されるように、ＲＥのうちのいくつかは、基地局におけるチャネル推定のための復調基準信号（ＤＭ−ＲＳ：demodulation reference signal）を搬送する。ＵＥは加えて、サブフレームの最後のシンボル中でサウンディング基準信号（ＳＲＳ：sounding reference signal）を送信し得る。ＳＲＳは、コーム構造（comb structure）を有し、ＵＥは、コームのうちの１つ上でＳＲＳを送信し得る。ＳＲＳは、ＵＬ上の周波数依存スケジューリングを可能にするためのチャネル品質推定のために基地局によって使用され得る。
【００３３】
[0045]  図２Ｄは、フレームのＵＬサブフレーム内の様々なチャネルの一例を例示する。物理ランダムアクセスチャネル（ＰＲＡＣＨ：physical random access channel）は、ＰＲＡＣＨ構成に基づいてフレーム内の１つ又は複数のサブフレーム内にあり得る。ＰＲＡＣＨは、サブフレーム内に６つの連続したＲＢペアを含み得る。ＰＲＡＣＨは、ＵＥが初期システムアクセスを実行し、ＵＬ同期を達成することを可能にする。物理アップリンク制御チャネル（ＰＵＣＣＨ：physical uplink control channel）は、ＵＬシステム帯域幅の両端上にロケートされ得る。ＰＵＣＣＨは、ＨＡＲＱ ＡＣＫ／ＮＡＣＫフィードバック、ランクインジケータ（ＲＩ：rank indicator）、プリコーディング行列インジケータ（ＰＭＩ：）、チャネル品質インジケータ（ＣＱＩ：channel quality indicator）、及びスケジューリング要求などのアップリンク制御情報（ＵＣＩ：uplink control information）を搬送する。ＰＵＳＣＨは、データを搬送し、加えて、バッファ状態レポート（ＢＳＲ：buffer status report）、電力ヘッドルームレポート（ＰＨＲ：power headroom report）、及び／又はＵＣＩを搬送するために使用され得る。
【００３４】
[0046]  図３は、アクセスネットワーク中でＵＥ３５０と通信状態にある基地局３１０のブロック図である。ＤＬでは、ＥＰＣ１６０からのＩＰパケットは、コントローラ／プロセッサ３７５に提供され得る。コントローラ／プロセッサ３７５は、レイヤ３及びレイヤ２の機能をインプリメントする。レイヤ３は、無線リソース制御（ＲＲＣ：Radio Resource Control）レイヤを含み、レイヤ２は、パケットデータコンバージェンスプロトコル（ＰＤＣＰ）レイヤ、無線リンク制御（ＲＬＣ）レイヤ、及び媒体アクセス制御（ＭＡＣ：Medium Access Control）レイヤを含む。コントローラ／プロセッサ３７５は、システム情報（system information）（例えば、ＭＩＢ、ＳＩＢ）のブロードキャスティング、ＲＲＣ接続制御（例えば、ＲＲＣ接続ページング、ＲＲＣ接続確立、ＲＲＣ接続修正、及びＲＲＣ接続解放）、無線アクセス技術（ＲＡＴ）間モビリティ、及びＵＥ測定レポーティングのための測定構成に関連付けられたＲＲＣレイヤの機能と、ヘッダ圧縮／解凍、セキュリティ（暗号化、暗号解読、インテグリティ保護、インテグリティ検証）、及びハンドオーバサポート機能に関連付けられたＰＤＣＰレイヤの機能と、上位レイヤパケットデータユニット（ＰＤＵ）の転送、ＡＲＱを通じた誤り訂正、ＲＬＣサービスデータユニット（ＳＤＵ）の連結、セグメント化、及びリアセンブリ、ＲＬＣデータＰＤＵの再セグメント化、及びＲＬＣデータＰＤＵの再順序付けに関連付けられたＲＬＣレイヤの機能と、論理チャネルとトランスポートチャネルとの間でのマッピング、トランスポートブロック（ＴＢ：transport block）上へのＭＡＣ ＳＤＵの多重化、ＴＢからのＭＡＣ ＳＤＵの逆多重化、スケジューリング情報レポーティング、ＨＡＲＱを通じた誤り訂正、優先度処理（priority handling）、及び論理チャネル優先順位付けに関連付けられたＭＡＣレイヤの機能とを提供する。
【００３５】
[0047]  送信（ＴＸ）プロセッサ３１６及び受信（ＲＸ）プロセッサ３７０は、様々な信号処理機能に関連付けられたレイヤ１の機能をインプリメントする。物理（ＰＨＹ）レイヤを含むレイヤ１は、トランスポートチャネル上での誤り検出、トランスポートチャネルの前方誤り訂正（ＦＥＣ）コーディング／復号、インタリービング、レートマッチング、物理チャネル上へのマッピング、物理チャネルの変調／復調、及びＭＩＭＯアンテナ処理を含み得る。ＴＸプロセッサ３１６は、様々な変調スキーム（例えば、２位相偏移変調（ＢＰＳＫ）、４位相偏移変調（ＱＰＳＫ）、Ｍ位相偏移変調（Ｍ−ＰＳＫ）、Ｍ値直交振幅変調（Ｍ−ＱＡＭ））に基づいて信号コンステレーションにマッピングすることを処理する。コーディング及び変調されたシンボルはその後、並列ストリームに分けられ得る。各ストリームはその後、ＯＦＤＭサブキャリアにマッピングされ、時間及び／又は周波数ドメイン（frequency domain）中で基準信号（例えば、パイロット）と多重化され、その後、逆高速フーリエ変換（ＩＦＦＴ）を使用して共に組み合わされて、時間ドメインＯＦＤＭシンボルストリームを搬送する物理チャネルを生成し得る。ＯＦＤＭストリームは、複数の空間ストリームを生成するために空間的にプリコーディングされる。チャネル推定器３７４からのチャネル推定値は、コーディング及び変調スキームを決定するために、並びに空間処理のために使用され得る。チャネル推定値は、ＵＥ３５０によって送信されたチャネル条件フィードバック及び／又は基準信号から導出され得る。各空間ストリームはその後、別個の送信機３１８ＴＸを介して異なるアンテナ３２０に提供され得る。各送信機３１８ＴＸは、送信用のそれぞれの空間ストリームを用いてＲＦキャリアを変調し得る。
【００３６】
[0048]  ＵＥ３５０において、各受信機３５４ＲＸは、そのそれぞれのアンテナ３５２を通じて信号を受信する。各受信機３５４ＲＸは、ＲＦキャリア上に変調された情報を復元し、受信（ＲＸ）プロセッサ３５６にその情報を提供する。ＴＸプロセッサ３６８及びＲＸプロセッサ３５６は、様々な信号処理機能に関連付けられたレイヤ１の機能をインプリメントする。ＲＸプロセッサ３５６は、ＵＥ３５０に宛てられた任意の空間ストリームを復元するために、情報に対して空間処理を実行し得る。複数の空間ストリームがＵＥ３５０に宛てられる場合、それらは、ＲＸプロセッサ３５６によって単一のＯＦＤＭシンボルストリームへと組み合わされ得る。ＲＸプロセッサ３５６はその後、高速フーリエ変換（ＦＦＴ）を使用して、時間ドメインから周波数ドメインにＯＦＤＭシンボルストリームを変換する。周波数ドメイン信号は、ＯＦＤＭ信号のサブキャリアごとに別個のＯＦＤＭシンボルストリームを備える。各サブキャリア上のシンボル、及び基準信号は、基地局３１０によって送信された最も可能性の高い信号コンステレーションポイントを決定することによって復元及び復調される。これらの軟判定は、チャネル推定器３５８によって計算されたチャネル推定値に基づき得る。軟判定はその後、物理チャネル上で基地局３１０によって当初送信されたデータ及び制御信号を復元するために、復号及びデインターリーブされる。データ及び制御信号はその後、レイヤ３及びレイヤ２の機能をインプリメントするコントローラ／プロセッサ３５９に提供される。
【００３７】
[0049]  コントローラ／プロセッサ３５９は、プログラムコード及びデータを記憶するメモリ３６０に関連付けられることができる。メモリ３６０は、コンピュータ可読媒体と呼ばれ得る。ＵＬでは、コントローラ／プロセッサ３５９は、ＥＰＣ１６０からのＩＰパケットを復元するために、トランスポートチャネルと論理チャネルとの間での逆多重化、パケットのリアセンブリ、暗号解読、ヘッダ解凍、及び制御信号処理を提供する。コントローラ／プロセッサ３５９はまた、ＨＡＲＱ動作をサポートするために、ＡＣＫ及び／又はＮＡＣＫプロトコルを使用する誤り検出を担う。
【００３８】
[0050]  基地局３１０によるＤＬ送信に関連して説明された機能と同様に、コントローラ／プロセッサ３５９は、システム情報（例えば、ＭＩＢ、ＳＩＢ）獲得、ＲＲＣ接続、及び測定レポーティングに関連付けられたＲＲＣレイヤの機能と、ヘッダ圧縮／解凍、及びセキュリティ（暗号化、暗号解読、インテグリティ保護、インテグリティ検証）に関連付けられたＰＤＣＰレイヤの機能と、上位レイヤＰＤＵの転送、ＡＲＱを通じた誤り訂正、ＲＬＣ ＳＤＵの連結、セグメント化、及びリアセンブリ、ＲＬＣデータＰＤＵの再セグメント化、及びＲＬＣデータＰＤＵの再順序付けに関連付けられたＲＬＣレイヤの機能と、論理チャネルとトランスポートチャネルとの間でのマッピング、ＴＢ上へのＭＡＣ ＳＤＵの多重化、ＴＢからのＭＡＣ ＳＤＵの逆多重化、スケジューリング情報レポーティング、ＨＡＲＱを通じた誤り訂正、優先度処理、及び論理チャネル優先順位付けに関連付けられたＭＡＣレイヤの機能とを提供する。
【００３９】
[0051]  基地局３１０によって送信されたフィードバック又は基準信号からチャネル推定器３５８によって導出されたチャネル推定値は、適切なコーディング及び変調スキームを選択することと、空間処理を容易にすることとを行うために、ＴＸプロセッサ３６８によって使用され得る。ＴＸプロセッサ３６８によって生成された空間ストリームは、別個の送信機３５４ＴＸを介して異なるアンテナ３５２に提供され得る。各送信機３５４ＴＸは、送信用のそれぞれの空間ストリームを用いてＲＦキャリアを変調し得る。
【００４０】
[0052]  ＵＬ送信は、ＵＥ３５０における受信機機能に関連して説明されたのと同様の方法で基地局３１０において処理される。各受信機３１８ＲＸは、そのそれぞれのアンテナ３２０を通じて信号を受信する。各受信機３１８ＲＸは、ＲＦキャリア上に変調された情報を復元し、ＲＸプロセッサ３７０にその情報を提供する。
【００４１】
[0053]  コントローラ／プロセッサ３７５は、プログラムコード及びデータを記憶するメモリ３７６に関連付けられることができる。メモリ３７６は、コンピュータ可読媒体と呼ばれ得る。ＵＬでは、コントローラ／プロセッサ３７５は、ＵＥ３５０からのＩＰパケットを復元するために、トランスポートチャネルと論理チャネルとの間での逆多重化、パケットのリアセンブリ、暗号解読、ヘッダ解凍、制御信号処理を提供する。コントローラ／プロセッサ３７５からのＩＰパケットは、ＥＰＣ１６０に提供され得る。コントローラ／プロセッサ３７５はまた、ＨＡＲＱ動作をサポートするために、ＡＣＫ及び／又はＮＡＣＫプロトコルを使用する誤り検出を担う。
【００４２】
[0054]  図４は、ＵＥ４０４と通信状態にある基地局４０２を例示する図４００である。図４を参照すると、基地局４０２は、方向４０２ａ、４０２ｂ、４０２ｃ、４０２ｄ、４０２ｅ、４０２ｆ、４０２ｇ、４０２ｈのうちの１つ又は複数において、ビームフォーミングされた信号をＵＥ４０４に送信し得る。ＵＥ４０４は、１つ又は複数の受信方向４０４ａ、４０４ｂ、４０４ｃ、４０４ｄにおいて、基地局４０２からビームフォーミングされた信号を受信し得る。ＵＥ４０４はまた、方向４０４ａ〜４０４ｄのうちの１つ又は複数において、ビームフォーミングされた信号を基地局４０２に送信し得る。基地局４０２は、受信方向４０２ａ〜４０２ｈのうちの１つ又は複数において、ＵＥ４０４からビームフォーミングされた信号を受信し得る。基地局４０２／ＵＥ４０４は、基地局４０２／ＵＥ４０４の各々についての最良の受信及び送信方向（transmission direction）を決定するために、ビームトレーニング（beam training）を実行し得る。基地局４０２についての送信方向及び受信方向は、同じであることも、同じでないこともある。ＵＥ４０４についての送信方向及び受信方向は、同じであることも、同じでないこともある。
【００４３】
[0055]  ばく露制限（Exposure limit）は、ワイヤレスデバイスからのＲＦ放射を制限するために課される。例えば、ＳＡＲ制限は、サブ６キャリア中で通信するワイヤレスデバイスに課される。サブ６キャリアシステム中の送信は、等方性に近くあり得、低い経路損失を有し得る。ばく露についてのＳＡＲ規制メトリックは、例えば、単位体積当たりの電力として表される容積メトリックである。対照的に、ＭＰＥ制限は、６ＧＨｚより上で通信するワイヤレスデバイスに課される。ＭＰＥ制限は、面積に基づくばく露についての規制メトリック、例えば、組織温度変化によって表される人間のばく露の危険を防止するために、定義された面積にわたって平均化された数、Ｘ、Ｗ／ｍ2、及び周波数依存時間ウィンドウにわたって平均化された時間として定義される制限である。６ＧＨｚを超えるより高い周波数は、人の皮膚表面と相互作用し、６ＧＨｚ未満のより低い周波数は、体積で吸収される可能性がある。ばく露制限は、全身ばく露及び／又は局所ばく露に対して示され得る。ばく露制限は、定義された時間ウィンドウについてのばく露の平均量に基づき得る。ｍｍＷシステムのための実例的なＭＰＥ制限は、１ｍＷ／ｃｍ2である。このことから、この制限は、人に当たる電力密度が１ｍＷ／ｃｍ2を上回らないことがあることを示し得る。別の実例的な制限は、２０ｍＷ／２０ｃｍ2であり得、例えば、より広い面積にわたって電力密度を満たす必要がある。ＵＥの場合、例えば、デューティサイクル（duty-cycle）を使用して、平均ＭＰＥ測定値が使用され得る。図６は、平均化時間ウィンドウＴの一部分のみである時間ｔ中の送信のための平均化６００ばく露の例を例示する。送信は、最大ＥＩＲＰ＋ｘ ｄＢＭで送信され得、平均化時間Ｔにわたって平均化されると、示された平均電力６０２をもたらすことになる。これは、平均化ウィンドウにわたる平均電力が最大ＥＩＲＰ未満になるように、ＵＥが平均化ウィンドウ内に短い時間期間にわたって最大ＥＩＲＰ＋ｘ ｄＢＭで送信することを可能にする。
【００４４】
[0056]  ｍｍＷシステムのための自由空間及び他の損失はサブ６キャリアシステムのためのものよりも遙かに高いので、送信のためのより高いＥＩＲＰが典型的には所望される。より高いＥＩＲＰは、例えば、図４に関連して説明された実例的なビームフォーミングと同様に、所望される方向にビームをステアリングするためにアンテナアレイを使用することによって達成され得る。ｍｍＷシステム、例えば、２４ＧＨｚ〜６０ＧＨｚシステム中のＵＥデバイスのための実例的なＥＩＲＰ制限は、４３ｄＢｍであり得る。顧客構内機器（ＣＰＥ：Customer Premises Equipment）などの可搬デバイスの場合、制限はより高く、例えば、５５ｄＢｍであり得る。典型的なＵＥは、４３ｄＢｍ制限未満、例えば、２６〜３４ｄＢｍの範囲で動作し得るが、人の皮膚に向けられた送信ビームがＭＰＥ制限に違反する可能性があるという問題があり得る。このことから、ＥＩＲＰ制限を満たしている間であっても、ハンドヘルドデバイスからのｍｍＷビームは、ｍｍＷビームが人の身体に向けられるときにＭＰＥ制限に違反するかもしれない。図５は、基地局５０２とワイヤレスに通信するハンドヘルドワイヤレスデバイスを例示する。第１のハンドヘルドデバイスは、等方性に近い送信５００を放出し、第２のハンドヘルドデバイスは、ビームフォーミングを使用して、例えば、ビーム５０４、５０６を用いて基地局（１つ以上）５０２とワイヤレスに通信する。第２のハンドヘルドデバイスの場合、エネルギーは、特定の方向に建設的（constructively）に追加するように送信する複数のアンテナ素子の使用を通して、ビーム方向、例えば５０４、５０６に集中され得る。
【００４５】
[0057]  ＵＥからの送信のための静的電力制限は、ＭＰＥ制限が常に満たされることを保証し得る。しかしながら、そのような静的電力制限は、ＵＥにおける電力の実質的なバックオフ（back-off）を必要とする可能性があり、ＵＥのための不十分なアップリンク範囲（poor uplink range）につながり得る。静的電力バックオフ規制（static power back off rule）は、検出器がＭＰＥ違反を測定することができる距離（distance）に基づき得る。ＵＥが有効範囲を提供しながらばく露制限との適合性を維持することを保証するために、ＵＥは、実際のばく露状態を検出するためにばく露測定を実行し得る。ＵＥが問題のあるばく露状態を決定するとき、ＵＥは、ばく露制限との適合性を保証するために様々な方法のうちの任意のもので応答し得る。ＵＥは、制限に違反するであろうばく露状態を検出したことに応答して、送信電力（transmission power）を低減及び／又はアンテナアレイを切り替え得る。
【００４６】
[0058]  このことから、ＵＥは、特定のビーム方向における人、例えば、手又は他の身体部分の存在を検出するために、帯域内ばく露測定、例えば、ＭＰＥ測定を実行し得る。ＭＰＥ測定の一例は、周波数変調連続波レーダ測定（frequency modulated continuous wave radar measurement）を使用して行われ得る。例えば、ＵＥは、少なくとも１つのアンテナ素子を用いて無線信号を送信し得、受信機は、信号の経路中の物体からのエコーを検出し得る。この検出は、ＵＥが障害物（obstruction）及び障害物までの距離を検出することを可能にし得る。ＵＥは、障害物がアンテナからの送信の経路中の人の身体の一部分であるという仮定に基づいて応答し得る。実例的な検出方法は、ｘｐｏｌ及びレーダを含む。レーダの例では、レーダ信号は、広い帯域幅にわたって周波数中で信号をスイープし得、ＵＥが基地局と通信することになる帯域中で放射し得る。ｘｐｏｌの例では、送信は、ワイドバンド信号ではなく単一のトーンのみを含み得る。
【００４７】
[0059]  しかしながら、そのような帯域内ばく露測定は、通信システム内のデータ又は制御送信への干渉を引き起こし得る。加えて、帯域内測定は、通信システム中の他の送信に起因して不正確であり得る。通信システム内の他の送信への干渉を引き起こすことなく正確なばく露測定を行うために、ＵＥは、他のデータ／制御送信への干渉を回避するリソースに基づいてばく露測定を行い得る。例えば、リソースは、ＭＰＥ測定に利用可能なセル固有リソースを備え得る。測定を実行するＵＥが互いに、及び他のデータ／制御送信に対して引き起こし得る干渉を管理するために、ＵＥによって、又はネットワークによって決定が行われ得る。ＵＥはその後、ばく露測定に基づいて送信特性を調整するかどうかを決定し得る。
【００４８】
[0060]  複数のＵＥが同時ＭＰＥ測定を行うことは、互いの間の干渉及び不正確なＭＰＥ測定につながり得る。しかしながら、ＭＰＥ測定のための電力レベルは一般に低い。更に、ＵＥのための測定機会（measurement occasion）は、この干渉を制限するためにセル固有リソース発生にわたってランダム化される可能性がある。加えて、制限を満たすＭＰＥの誤検出は非効率性につながり得るが、破局的ではないことがある。
【００４９】
[0061]  システムワイドギャップ（System Wide Gap）
【００５０】
[0062]  ＭＰＥ測定のためのリソースの一例は、システムワイドギャップである。しかしながら、ＭＰＥ測定のためのシステムワイドギャップは、例えば、システムワイドギャップがＵＥによって頻繁に使用される必要がある場合、システムの非効率性につながり得る。そのようなシステムワイドギャップは、多くのＵＥに同時に測定を行わせ得、例えば、不正確な／雑音の多い測定につながる。不正確さは、ＭＰＥ測定のバースト負荷をランダム化することによって改善され得る。このことから、ＭＰＥ送信信号は、異なるシステムワイドリソースにわたってランダム化され得る。この例では、ＵＥは、複数のシステムワイドギャップ機会の間でそれらのＭＰＥ測定値をランダム化するように構成され得る。リソースの選択されたサブセットを使用するのではなく、ＭＰＥ送信信号をランダム化することによって、高レベルの干渉を回避するのに役立ち得る。ランダム化は、ＭＰＥ測定の精度を改善し、ばく露状態の誤検出を回避することによって、システムの非効率性を改善し得る。
【００５１】
[0063]  スケジュールされていないリソース（An Unscheduled Resource）
【００５２】
[0064]  別の例では、ＵＥは、システム動作及びパフォーマンスを著しく中断することなくＵＥが測定を行うことを可能にするであろう既存のリソース機会（existing resource opportunity）に基づいて測定を行い得る。５Ｇシステムでは、動的ＴＤＤが用いられ得る。このことから、データリソース（data resource）は、制御チャネルインジケーションに基づいてアップリンク又はダウンリンクであるように動的に構成されることができる。この例では、ＵＥは、ＭＰＥ測定を行うために、ダウンリンク又はアップリンクデータ（uplink data）のためにスケジュールされていないリソースを使用し得る。ＵＥは、制御チャネルを復号すると、ＵＥがリソース中のデータのためにスケジュールされていないと決定し得るが、セル中の別のダウンリンク又はアップリンク送信がＭＰＥ測定における不正確さにつながり得るので、リソースを再使用することは望ましくないことがある。同様に、ダウンリンク同期信号を搬送するリソース中のＭＰＥ測定は、ＭＰＥ測定における不正確さにつながり得る。
【００５３】
[0065]  ギャップ期間（Gap Period）
【００５４】
[0066]  別の例では、ＵＥは、ＭＰＥ測定を行うために、ダウンリンクリソース（downlink resource）とアップリンクリソース（uplink resource）との間のギャップ期間を使用し得る。ギャップ期間の使用は、例えば、ＵＥがダウンリンクデータのためにスケジュールされるとき、ＵＥが最初にダウンリンクデータの受信を完了しなければならないので、ＭＰＥ測定における非効率性につながり得る。このことから、基地局からのＵＥの距離に応じて、受信遅延（reception delay）は、ＵＥがＭＰＥ測定を開始することができる前にギャップ期間の一部分を消費し得る。加えて、ＵＥがアップリンク制御チャネルを送らなければならないとき、ギャップ期間中に測定する能力に更なる制限が課される。同様に、セル中で更に遠くにロケートされた別のＵＥは、干渉された不正確なＭＰＥ測定につながるタイミングアドバンス送信（timing advanced transmission）を実行し得る。ＵＥは、ＵＥがギャップ期間に入った後であっても粗く同期された遠隔基地局からの送信を受信し得、それによって、干渉された不正確なＭＰＥ測定につながる。
【００５５】
[0067]  ＭＰＥ検出リソースは、ＲＡＣＨリソース間のガードトーン（guard tone）中に、又はＲＡＣＨリソースとデータ／制御リソース（data/control resource）との間のガードトーン中にロケートされ得る。例えば、ＲＡＣＨリソースは、６ＧＨｚを超える通信において１３９個のトーンを使用し得る。しかしながら、６ＧＨｚを超える通信システムでは、ＲＡＣＨ帯域幅のために１４４個のトーンがリザーブされ得る。この例では、ＭＰＥ測定に利用可能であり得る実際のＲＡＣＨシーケンスの周りに５つのガードトーンがある。
【００５６】
[0068]  セル固有リソース（Cell Specific Resource）
【００５７】
[0069]  別の例では、ＵＥは、ＭＰＥ測定に利用可能なセル固有リソース中でＭＰＥ測定を実行し得る。セル固有リソースの例は、ＲＡＣＨリソース、ビーム障害回復リソース（beam failure recovery resource）、又はスケジューリング要求（ＳＲ：scheduling request）リソースのうちの任意のものを含む。リソースは、ダウンリンクリソース又は同期信号（ＳＳ）リソースを備え得る。
【００５８】
[0070]  例は、ＲＡＣＨ例に関連して説明されることになる。しかしながら、態様は、ビーム障害回復リソース又はスケジューリング要求リソースに同様に適用され得る。図７は、未使用のＲＡＣＨリソース７０４及び７０６中に実行されるＭＰＥ測定７００の例を例示する。ＲＡＣＨリソース７０２は、例えば、ＵＥがＲＡＣＨのためのリソースを必要とするとき、ＵＥがＲＡＣＨリソース中で測定を実行しないことを自律的に決定するとき、又はＵＥがＲＡＣＨリソース７０２中にＭＰＥ測定を実行することを控えるためのインジケーションを受信するとき、ＭＰＥ測定のために使用されないことがある。図７に例示されるように、ＭＰＥ測定は、異なるアンテナサブアレイ（different antenna sub arrays）を使用して実行され得る。図７の実例的なデバイス７０８は、４つのアンテナモジュール（antenna module）７１０を有し、各アンテナモジュールは、サブアレイ（sub-array）とも呼ばれる複数の素子（element）７１２を備える。所与の未使用のＲＡＣＨサブフレームでは、同じアンテナモジュール７１０が使用され得る。例えば、同じアンテナモジュール７１０からの複数の素子７１２を測定して、検出を改善し得る。各アンテナ対、例えば、送信機／受信機対は、Ｌ１中にそれ自体のＭＰＥビームインデックスを有し得る。単一の検出方法、例えば、Ｘ−ｐｏｌ又はレーダ（radar）を用い得る。例えば、Ｌ１は、使用されるべき検出方法を選択し得る。選択は、移動平均化アップリンク電力（moving averaged uplink power）と閾値との比較に基づき得る。Ｑ−ｐｏｌの場合、閾値は、＋２４ｄＢＭ未満であり得る。レーダの場合、閾値は、＋２４ｄＢｍより大きくあり得る。
【００５９】
[0071]  例えば、ＲＡＣＨリソースは、ダウンリンク送信干渉（downlink transmission interference）の懸念なしに、予想どおりにアップリンクリソースである。ＵＥは、ＲＡＣＨ又はビームアクセス回復（beam access recovery）を実行するためにリソースを使用する必要がないとき、ＭＰＥ測定のためにＲＡＣＨリソースを使用し得る。ＲＡＣＨリソースの使用は、いくつかの利点を提供する。ＲＡＣＨリソースは、データリソースとは対照的に、予測可能であるＵＥ送信機会（transmit occasion）である。ＲＡＣＨリソースは、ＵＥがシステムへのアクセスを迅速且つ確実に取得することを可能にするために、低い利用率のために設計される。このことから、ＲＡＣＨリソースは、ＭＰＥ測定においてより低い不正確さを有するべきである。ＲＡＣＨ機会は、例えば、ＭＰＥ測定のニーズと比較して、比較的頻繁に発生する。例えば、ＲＡＣＨリソースは、５〜２０ｍｓ毎に発生し得る。同様に、ランダム化された再試行は典型的には電力ランピング（power ramping）でサポートされるので、ＲＡＣＨ失敗は破局的ではないことがある。このことから、ＭＰＥ測定によって引き起こされる干渉に起因してＲＡＣＨに失敗するＵＥは、再試行する機会を有するべきである。
【００６０】
[0072]  ＲＡＣＨリソースは、ＭＰＥ測定のための予測可能なアップリンク送信機会を提供するが、いくつかの干渉問題が当てはまり得る。潜在的な干渉の第１の例では、別のＵＥからの送信が、ＭＰＥ測定への干渉を引き起こし得る。例えば、ＭＰＥ測定が−５０ｄＢｍの電力レベルを使用して行われ、他のＵＥがＲＡＣＨを送信するために２３ｄＢｍの電力レベルを使用する場合。ＲＡＣＨを送信するＵＥとＭＰＥを測定するＵＥとの間の距離が１ｍである場合、２８ＧＨｚにおいて、干渉レベルは約−３８ｄＢｍとなり、ＭＰＥ検出は失敗するであろう。統計的に、別のＵＥ ＲＡＣＨ送信からの干渉の可能性は、ＲＡＣＨチャネル利用率が設計によって典型的に低いので、低い。
【００６１】
[0073]  更に、この例はまた、ＭＰＥ検出のためのアンテナサブアレイが干渉を経験するサブアレイであると仮定する。２０ｄＢ減衰を有するＭＰＥ信号は、−７０ｄＢｍで受信されるであろう。約５０ｍ離れた距離から３０ｄＢｍでＲＡＣＨを同時に送信するＵＥは、検出のＳＮＲを約０ｄＢにするであろう。ＭＰＥ検出信号は、そのようなシナリオのために設計され得る。
【００６２】
[0074]  ＵＥは、ＭＰＥ測定のためのリソースを自律的に決定し得る。例えば、ＵＥは、ＵＥがスケジュールされていないリソース、システムギャップ（system gap）、ガードリソース（guard resource）、ＲＡＣＨリソース、ビーム障害回復リソース、ＳＲリソース、ＳＳリソース、等のうちの任意のものの間にＭＰＥ測定を実行し得る。ＵＥは、例えば、ダウンリンク経路損失値（downlink path loss value）に基づいて、ＭＰＥ測定のための送信電力を決定し得る。ＵＥは、基地局のリスニング方向（listening direction）に基づいて、例えば、ＲＡＣＨリソースについての基地局のリスニング方向についてのＵＥの知識に基づいて選択されたアンテナサブアレイを使用して、ＭＰＥ測定を実行し得る。サブアレイは、アンテナ素子のアレイ内にアンテナ素子のサブセットを含み得る。例えば、ＵＥは、低減された品質を有する基地局のリスニング方向に基づいて、アンテナサブアレイを使用してＭＰＥ測定を実行し得る。
【００６３】
[0075]  ＵＥは、例えば、ＲＡＣＨスロット中で干渉をリッスンする（listen）ことによって、ＲＡＣＨリソース中で検出された干渉電力（interference power）に基づいてＭＰＥ測定を行うかどうかを決定し得る。ＵＥは、ＲＡＣＨリソース上のシステム負荷（system load）の測定値として、検出された干渉電力を使用し得る。このことから、ＵＥは、特定のリソース上のシステム負荷の測定値に基づいて、ＭＰＥ測定を実行するかどうかを決定し得る。例えば、ＵＥは、システム負荷が閾値未満であると測定されたとき、ＲＡＣＨリソースを使用してＭＰＥを測定し得る。ＲＡＣＨリソースは、同期信号（ＳＳ：synchronization signal）バーストセット（burst set）内の異なるＳＳブロック（block）に対応する複数のサブリソース（sub-resource）を含み得る。ＵＥは、ＳＳブロック、例えば、低減された信号強度（reduced signal strength）を有するＳＳブロックを選択し、選択されたＳＳブロックのための対応するＲＡＣＨサブリソースに基づいてＭＰＥ測定を実行し得る。ＲＡＣＨリソースの持続時間（duration）は、単一のスロット、複数のスロット、又はスロット内のシンボルのサブセットであり得る。このことから、ＵＥは、ＭＰＥ測定を実行するときにＵＥがより少ない干渉を経験する及び／又は引き起こす可能性が高いリソースに基づいて、ＭＰＥ測定に利用可能なリソースの中から選択し得る。
【００６４】
[0076]  他の態様では、ＭＰＥ測定のためのセル固有リソースの使用を制御するために、セル固有リソースの追加の管理がネットワークによって用いられ得る。このことから、ＵＥにＭＰＥ測定のためのリソースを自律的に決定させるのではなく、ネットワークは、例えば、ＭＰＥ測定のために使用され得るリソースのインジケーションをブロードキャストするか又は別様にシグナリングすることによって、ＭＰＥ測定のために使用されるリソースを制御又は管理し得る。
【００６５】
[0077]  一例では、基地局は、ＲＡＣＨ機会（occasion）又は他の利用可能なリソースがＭＰＥ測定のみのためにオープンであるときを示し得る。第２の例では、基地局は、ＲＡＣＨ機会又は他のリソースがＲＡＣＨのみに利用可能であることを示し得る。第３の例では、基地局は、ＲＡＣＨ機会又は他のリソースがＲＡＣＨ測定とＭＰＥ測定との両方に利用可能であることをＵＥに示し得る。このことから、ネットワークは、利用可能なリソースがＭＰＥ測定のために使用され得るときを示し得、ＵＥは、そのインジケーションがネットワークによって受信されない限り、ＭＰＥ測定のために利用可能なリソースを使用することを控え得る。代替的に、ネットワークは、利用可能なリソースがＭＰＥ測定のために使用されないことがあるときを示し得、ＵＥは、そのインジケーションが基地局によって受信されない限り、ＭＰＥ測定のために利用可能なリソースを使用し得る。
【００６６】
[0078]  基地局は、ＭＩＢ、ＳＩＢ、他のシステム情報、ＭＡＣ ＣＥ、ＤＣＩ、又はＲＲＣメッセージのうちの任意のものにおいてインジケーションを行い得る。インジケーションはまた、別のキャリア、例えば、ＬＴＥキャリア又は５Ｇサブ６キャリアからのメッセージ（message）中でＵＥに提供され得る。例えば、ユニキャストＲＲＣメッセージは、デバイスがセル固有リソース中で測定を行うことができる又はできないときをＭＰＥ測定デバイスに示すために使用され得る。一例では、インジケーションは、ＭＰＥ測定のためのリソースの使用を制限し得るか、又は別様に低減し得る。
【００６７】
[0079]  ネットワークは、各ＵＥのためのＭＰＥ測定のために許可されるライズオーバサーマルレベル（rise-over-thermal level）を示し得る。ネットワークはまた、ＵＥからのＭＰＥ測定のための送信が基地局によって受信され得る最大電力を示す最大受信電力（maximum receiving power）を示し得る。ＵＥは、最大受信電力制限を満たすために、ＭＰＥ測定のためのＳＳブロック及び対応するＲＡＣＨサブリソースを選択し得る。例えば、ＵＥは、ＭＰＥ測定のための対応するリソースを決定するために、ＵＥが検出することができない送信ＳＳブロックを選択し得る。
【００６８】
[0080]  ネットワークはまた、ＭＰＥ測定のための期間を明示的にスケジュールし得る。スケジュールされた期間（scheduled period）は、ＵＥのために送信されるべき保留中のアップリンクデータの量に基づき得る。このことから、ネットワークは、どのＵＥがアップリンクデータを送信する必要があるかを認識し得、それに応じてＭＰＥ測定のためのリソースをスケジュールし得る。ＭＰＥ測定のためのスケジューリング期間では、ネットワークは、ＵＥを、特定のリソース中でＭＰＥ測定を実行し得るグループ、例えば、異なる経路損失（disparate path loss）を有するグループにグループ化し得る。
【００６９】
[0081]  ＭＰＥ測定に利用可能なリソースを管理する際に、基地局は、ＲＡＣＨリソース中でＭＰＥ測定を許可するかどうかに関する決定を行うために、短期平均化ＲＡＣＨ負荷（short-term averaged RACH loading）の測定値を使用し得る。ＲＡＣＨ使用には、例えば、ピーク時間中のより大きいＲＡＣＨ負荷、又は鉄道の駅、等などの特定の場所におけるより大きい負荷など、時間及び空間的相関があり得る。時間及び空間的相関は、基地局によって使用され、ＲＡＣＨリソース使用を予測して、増大したＲＡＣＨ負荷を有する時間中及び／又は増大したＲＡＣＨ負荷を有するロケーション中でＭＰＥ測定のためのＲＡＣＨリソース使用を低減し得る。同様に、基地局は、時間及び物理ロケーション中でのＲＡＣＨリソース負荷の予測を使用して、より低いＲＡＣＨ負荷を有すると予測される時間中及び／又はより低いＲＡＣＨ負荷を有すると予測されるロケーション中でＲＡＣＨリソースを使用するＭＰＥ測定の量の増大を可能にし得る。
【００７０】
[0082]  潜在的な干渉の第２の例では、第１のＵＥからのＭＰＥ測定は、別のＵＥのＲＡＣＨ検出に干渉し得る。ＭＰＥ測定を実行するＵＥの電力スペクトル密度（power spectral density）は、この潜在的な干渉問題に対処するように制限され得る。例えば、約１４０ｄＢの経路損失を有するセルエッジＵＥは、システム中でＲＡＣＨを実行する必要があり得る。−６ｄＢのＳＮＲが、信号を検出するために必要とされ得、ＵＥは、１ＲＢの帯域幅（１２０ｋＨｚのＳＣＳにおいて〜１．４４ＭＨｚ）上で送信し得る。５ｄＢの基地局の雑音指数（ＮＦ：Noise Figure）では、そのＢＷにおける雑音電力は、−１０７ｄＢｍであり得る。従って、ＲＡＣＨの検出感度は、約−１１３ｄＢｍであり得る。基地局において見られるような、ＭＰＥを測定する単一のＵＥによって許容されるターゲットライズオーバサーマル雑音（target rise-over-thermal noise）が−２０ｄＢに設定され、そのＵＥが約１ｍの距離にわたって基地局に対して６０ｄＢの経路損失を有する場合、ＭＰＥ測定を実行するＵＥの電力スペクトル密度は、１．４４ＭＨｚ上で−６７ｄＢｍに制限され得る。この制限は、ＭＰＥ測定を行うには非常に低いことがある。従って、潜在的な干渉の第１の例と同様に、ネットワークは、ＭＰＥ測定のためのリソース使用を管理又は制御し得る。
【００７１】
[0083]  しかしながら、ＵＥが基地局から１０ｍしか離れていない場合、ＭＰＥ測定を実行するＵＥの電力は、基地局から１ｍしか離れていないＵＥと同じレベルの干渉を生成するために２０ｄＢだけ増大される可能性がある。１．４４ＭＨｚ当たり−４７ｄＢｍでは、ＭＰＥ測定は遙かにより実用的になり、明示的なネットワークインジケーションなしでリソースが使用され得る。このことから、ＵＥは、ネットワーク管理又は制御なしに利用可能なリソースを使用し得、例えば、２０ｄＢ未満の干渉物は、他のＵＥのＲＡＣＨパフォーマンスにわずかな劣化を引き起こすであろう。
【００７２】
[0084]  複数のＵＥがＭＰＥ測定を同時に実行する場合、例えば、１０個のＵＥが各々１０ｍの距離から同時ＭＰＥ測定を実行する場合、ＲＡＣＨに影響を及ぼす総干渉電力は、依然として雑音制限を１０ｄＢ下回る。各ユーザは、単一のＲＡＣＨリソース上で完全なＭＰＥ測定を行い得、約１００ｍｓにわたってもう一度測定を行う必要がないことがある。加えて、ＲＡＣＨリソースは、２０ｍｓ毎に発生し得る。このことから、利用可能なＲＡＣＨリソースは、ＲＡＣＨパフォーマンスを中断することなくＭＰＥ測定を実行するために、１０ｍの距離にある５０個のＵＥに容量を提供し得る。ＵＥは、セル中の様々な地点に分散される可能性が高い。この分散は、追加の距離にあるＵＥが、ＲＡＣＨパフォーマンスを中断することなく追加のＭＰＥ測定を実行することを可能にし得る。これは、基地局からより遠いＵＥがＭＰＥ制限に違反する可能性がより高いので、望ましくあり得る。
【００７３】
[0085]  ある特定の態様では、ＵＥは、基地局の不十分なリスニング方向に対応するアンテナサブアレイ上でＭＰＥ測定を実行するために、基地局のリスニング方向の知識を使用し得る。このことから、ＵＥは、低減された品質を有する特定のアンテナモジュールのアンテナサブアレイを、基地局がＭＰＥ測定を行う際に使用するためのリスニング方向として選択し得る。例えば、ＲＡＣＨリソースは、ＳＳブロックとの対応を有する間隔に分割され得る。これは、ＵＥがリスニング方向の品質を決定することを可能にし得る。ＭＰＥを測定する必要があるＵＥは、例えば、ビーム測定が利用可能である接続状態にあり得る。このことから、ＵＥは、基地局におけるＲＡＣＨリスニング方向が不十分であるアンテナサブアレイに一致するように、そのＭＰＥ測定をスケジュールすることが可能であり得る。
【００７４】
[0086]  潜在的な干渉の第３の例では、各々がＭＰＥを測定する複数のＵＥが、互いのＭＰＥ測定の間で干渉を引き起こし得る。電力レベル制限が、ＭＰＥ測定間の干渉を制限するために使用され得る。加えて、ＭＰＥ測定のためのランダム化された時間及びＭＰＥ測定を行うためのアンテナサブアレイのランダム化された使用は、この問題の深刻さを低減し得る。このタイプの干渉が問題である場合、基地局は、制御モードでＭＰＥ測定を調整し得る。例えば、基地局は、所与のリソース中でＭＰＥ測定を実行するＵＥの数を調整し得る。加えて、基地局は、ＵＥのセットを異なる経路損失を有するグループにグループ化し得、例えば、グループ化されたセット内のＵＥは、異なるレベルの経路損失を有し、各ＵＥのＭＰＥ測定に対する干渉のレベルを低減するために、ＵＥのグループが特定のリソース中でＭＰＥ測定を実行することを可能にする。
【００７５】
[0087]  ＭＰＥ測定値がばく露状態を示すとき、ＵＥは、ＭＰＥ制限に準拠するために、いくつかのアクションのうちの任意のもの取り得る。例えば、ＵＥは、送信電力を低減し得る。ＵＥは、異なるアンテナアレイ、例えば、人の身体によって遮られないアンテナアレイに送信を切り替え得る。これは、送信方向を変更し得る。ＵＥは、アンテナアレイが人の身体によって遮られていないことをＭＰＥ測定値が示すとき、送信電力を増大させるように動作し得る。同様に、ＵＥは、ＭＰＥ測定に基づいて障害物を検出すると、送信電力を低減し得る。
【００７６】
[0088]  図８は、ワイヤレス通信の方法のフローチャート８００である。方法は、ＵＥ（例えば、ＵＥ１０４、３５０、４０４、７０８、１２５０、装置９０２、９０２’）によって実行され得る。オプションの態様は、破線を使用して例示されている。８０２において、ＵＥは、基地局からセル固有リソースのインジケーションを受信する。例えば、インジケーションは、ばく露測定、例えば、ＭＰＥ測定に利用可能なセル固有リソースを示し得る。セル固有リソースは、システムギャップ、例えば、測定のために構成されたシステムワイドギャップ内に包含され得る。セル固有リソースは、アップリンクセル固有リソース（uplink cell specific resource）を備え得る。セル固有リソースは、ＲＡＣＨリソースとデータ若しくは制御リソースとの間のガードリソース、又は周波数ドメイン中の２つのＲＡＣＨリソース間のガードリソースを含み得る。セル固有リソースは、ＲＡＣＨリソース、ビーム障害回復リソース、又はＳＲリソースのうちの少なくとも１つを備え得る。セル固有リソースは、既存のリソース機会、例えば、スケジュールされていないアップリンクリソース（unscheduled uplink resource）及び／又はダウンリンク送信（downlink transmission）とアップリンク送信（uplink transmission）との間のギャップ（gap）を備え得る。セル固有リソースは、ダウンリンクリソースを備え得る。セル固有リソースは、少なくとも１つのＳＳリソースを備え得、例えば、ＵＥは、例えば、ＵＥが低いＲＳＲＰを検出したとき、ＵＥが信号を検出しなかったＳＳブロックに基づいて測定を実行し得る。このことから、ＵＥは、ＵＥが検出しなかったＳＳブロックの送信中に測定を実行し得る。
【００７７】
[0089]  ８１２において、ＵＥは、セル固有リソースに基づいて測定を実行する。ＵＥは、ダウンリンク経路損失値に基づいて、測定を実行するための送信電力を決定し得る。例えば、ＵＥは、ダウンリンク経路損失（downlink path loss）に基づいて測定のための送信電力を自律的に決定し得るか、又は基地局からのインジケーションに更に基づいて測定のための送信電力を決定し得る。
【００７８】
[0090]  一例では、ＵＥは、スケジューリング構成に基づいて測定を実行し得、ここで、ＵＥは、基地局がＵＥをスケジュールしていないリソースに基づいて測定を実行する。このことから、ＵＥは、制御チャネルを受信し、ＭＰＥ測定を実行するために使用すべきスケジュールされていないリソースを決定し得る。
【００７９】
[0091]  セル固有リソースがＲＡＣＨリソースを備える例では、ＵＥは、ＲＡＣＨリソースリスニング方向（resource listening direction）に基づいて測定を実行するための少なくとも１つのサブアレイをスケジュールし得る。ＵＥは、以前のＲＡＣＨリソース中で受けられた干渉電力に基づいて、特定のＲＡＣＨリソース中で測定を実行するかどうかを更に決定し得る。これは、ＵＥが、例えば、以前のＲＡＣＨリソース中で検出された干渉電力に基づいて、ＲＡＣＨリソースのためのシステム負荷を評価することを可能にし得る。
【００８０】
[0092]  ＲＡＣＨリソースは、複数のサブリソースを備え得、各サブリソースは、ＳＳバーストセット内の異なるＳＳブロックに対応する。ＲＡＣＨリソースの持続時間は、スロット内のシンボルの少なくともサブセットを備え得る。例えば、ＭＰＥ測定に利用可能なＲＡＣＨリソースは、単一のスロットを備え得る。別の例では、ＲＡＣＨリソースは、複数のスロットを備え得る。更に別の例では、ＲＡＣＨリソースは、スロット内のシンボルのサブセットを備え得る。ＵＥは、８１２において、ＳＳブロックを選択し、選択されたＳＳブロックのための対応するＲＡＣＨサブリソースに基づいて、測定を実行し得る。例えば、ＵＥは、信号強度に基づいてＳＳブロック、例えば、低減された信号強度を有するＳＳブロックを選択し得る。ＵＥがＳＳブロックについて低い信号強度、例えば、ＲＳＲＰを検出した場合、低い信号強度は、基地局がその時点で異なる方向に送信していることを示し得る。ＭＰＥ測定を実行するために低減された信号強度を有するＳＳブロックを選択することによって、ＵＥは、ＭＰＥ測定によって引き起こされる潜在的な干渉及びＭＰＥ測定における不正確さの潜在性を低減する。同様に、スロット内のＲＡＣＨリソース中で、基地局はまた、異なる方向をリッスンし得る。ＵＥが別のＵＥの信号に干渉する可能性がより低くなるので、ＵＥがこれらの時間中にＭＰＥ測定を実行することは有益であり得る。
【００８１】
[0093]  ネットワークは、ＭＰＥ測定のためのリソースの使用を制御し得る。例えば、ＵＥは、８０８において、ＭＰＥ測定のためのセル固有リソースの使用に関してネットワークから第２のインジケーション（second indication）を受信し得る。一例では、ＵＥは、セル固有リソースが測定のために使用され得るという第２のインジケーションをネットワークから受信し得る。ＵＥは、リソースがＭＰＥ測定のために使用され得るというインジケーションをＵＥが受信しない限り、ＭＰＥ測定のためにリソースを使用することを控えるように構成され得る。別の例では、ＵＥは、セル固有リソースが測定のために使用されないことがあるという第２のインジケーションをネットワークから受信し得、それは、ＵＥに、ＭＰＥ測定のためにリソースを使用することを控えさせ得る。例えば、ＵＥは、リソースがＭＰＥ測定のために使用されないことがあるとＵＥに知らせるインジケーションが基地局から受信されない限り、ＭＰＥ測定のためにリソースを自由に使用し得る。
【００８２】
[0094]  インジケーションは、測定のためにセル固有リソースを使用する能力を示し得、ＭＩＢ、ＳＩＢ、他のシステム情報、媒体アクセス制御（ＭＡＣ）制御要素（ＣＥ：Control Element）、ダウンリンク制御情報（ＤＣＩ）、無線リソース制御（ＲＲＣ）メッセージ中、又は別のキャリア（例えば、ＬＴＥキャリア又は５Ｇサブ６キャリア）からのメッセージ中、に任意のパラメータ（parameter）を備え得る。インジケーションは、測定のためのセル固有リソースの使用に制限を課し得るか、又は別様に抑制若しくは低減し得る。セル固有リソースの使用に関するインジケーションはまた、８０２におけるセル固有リソースのインジケーションとは別個の、８０８における第２のインジケーション中に示され得る。
【００８３】
[0095]  ８１０において、ＵＥは、基地局から測定のためのスケジュールされた期間を受信し得る。このことから、ＵＥがＭＰＥ測定を実行するためのスケジュールされた期間は、基地局によって明示的に制御され得る。別の例では、ＭＰＥ測定のための期間は、統計的に制御され得、例えば、基地局は、Ｔ秒の持続時間中にＮ回ＭＰＥ信号を送信し得ることをＵＥに示し得る。基地局は、Ｃ個のセル固有リソース中又はＳ個のシステムワイドギャップ中に、ＵＥがＭＰＥ信号の送信のためにセル固有リソース／システムワイドギャップ内のリソースをランダムに選択し得ることをＵＥに示し得る。
【００８４】
[0096]  ＵＥは、ＭＰＥ測定を制御する基地局から追加の情報を受信し得る。例えば、８０４において、ＵＥは、基地局から測定のためのライズオーバサーマル閾値（rise-over-thermal threshold）を受信し得る。ＵＥはその後、ＭＰＥ測定を実行するときに、示されたライズオーバサーマル閾値を使用し得る。８０６において、ＵＥは、測定のための送信が基地局において受信され得る最大受信電力を受け得る。ＵＥは、８１２において実行されるＭＰＥ測定のための送信電力を決定するために、受信された最大受信電力を使用し得る。
【００８５】
[0097]  別の例では、ＵＥは、基地局、例えば、ｇＮＢからのアップリンク許可（uplink grant）に基づいて、セル固有リソース中で測定を実行し得る。例えば、ＵＥは、基地局が同じリソース、例えば、スロット中でＵＥへのいかなるアップリンクデータもスケジュールしていないときに、測定を実行し得る。例えば、ＵＬ許可を包含するＰＤＣＣＨと対応するＰＵＳＣＨとの間にＮ個のスロットの最小ギャップが提供され得るとき。一例では、基地局は、セル固有アップリンクリソース（例えば、ＲＡＣＨ）の周波数分割多重化領域中でＰＵＳＣＨをスケジュールし得る。別の例では、基地局は、複数の受信パネル／サブアレイを使用することによって、セル固有アップリンクリソース（例えば、ＲＡＣＨ）の同じ時間周波数領域中でＰＵＳＣＨをスケジュールし得る。例えば、ある１つのパネルは、ＲＡＣＨを受信し得、その一方で、そのパネルは、同じ時間周波数リソース中でＰＵＳＣＨを受信する。セル固有アップリンクリソース（例えば、ＲＡＣＨリソース）がスロットＸ中で発生する場合、ＵＥは、ＵＥがスロットＸ中で任意のアップリンクデータ／制御をスケジュールされたかどうかを検査するために、スロットＸ〜ＮまでＰＤＣＣＨを監視し得る。ＵＥがスロットＸ中でアップリンクデータ／制御をスケジュールされた場合、ＵＥは、スロットＸ中で任意のＭＰＥ測定を実行することを控え得、代わりにアップリンクデータ／制御を送信し得る。ＵＥがスロットＸ中でアップリンクデータ／制御をスケジュールされていない場合、ＵＥは、スロットＸ中でＭＰＥ測定を実行し得る。
【００８６】
[0098]  ８１４において、ＵＥは、８１２において実行された測定の結果が閾値を満たすかどうかに基づいて、ユーザ機器の送信特性を調整するかどうかを決定する。送信特性は、送信電力、送信方向、アンテナサブアレイ選択（antenna sub-array selection）、又はアンテナモジュール選択（antenna module selection）の任意の組み合わせを備え得る。例えば、ＭＰＥ測定値が閾値を満たすとき、測定値は、人の身体によるアンテナ素子に対する障害物を示し得る。そのような障害物を検出することに応答して、８１８において、ＵＥは、測定値が閾値を満たすときに、ユーザ機器の送信特性を調整する。ＵＥは、ＭＰＥ制限に準拠するために、送信電力を低減及び／又は送信のためのアンテナ素子を切り替え得る。別の例では、閾値は、人にとって潜在的な問題のあるばく露状態がないことを示し得る。この例では、ＵＥは、送信電力を増大させること及び／又はより好ましいアンテナ素子に切り替えることによって、８１８において、送信特性を調整し得る。８１８において、送信特性がＵＥにおいて変更されるとき、ＵＥは、８２０において、送信特性の調整（adjustment）を基地局に示し得る。対照的に、９１４において、閾値が満たされないとき、ＵＥは、８１６において、送信特性を調整することを控え得る。
【００８７】
[0099]  図９は、例証的な装置９０２中の異なる手段／コンポーネント間でのデータフローを例示する概念的なデータフロー図９００である。装置は、基地局９５０（例えば、基地局１０２、１８０、３１０、４０２、５０２、装置１２０２、１２０２’）と通信するＵＥ（例えば、ＵＥ１０４、３５０、４０４、７０８、１２５０）であり得る。装置は、基地局９５０からダウンリンク通信を受信し、ばく露測定の一部としてＭＰＥ送信に基づく信号を受信する受信コンポーネント９０４を含む。装置は、基地局９５０にアップリンク通信を送信し、送信をＭＰＥ測定の一部として送信して、送信コンポーネント９０６からのＲＦエネルギーにばく露されている人の身体の一部分９５１に関するばく露状態を検出する送信コンポーネント９０６を含む。装置は、ＭＰＥ測定に利用可能なセル固有リソースのインジケーションを受信するように構成されたリソースコンポーネント９０８を含む。装置は、例えば、送信コンポーネント９０６を介して送信を送信し、受信コンポーネント９０４を使用して、人の身体の一部分９５１が送信アンテナ素子の方向にあるときを測定及び検出することによって、セル固有リソースに基づいて測定を実行するように構成された測定コンポーネント９１０を含む。装置は、測定値が閾値を満たすかどうかに基づいて、例えば、送信コンポーネント９０６の送信特性を調整するかどうかを決定する調整コンポーネント９１２を含む。調整コンポーネント９０６は、ＭＰＥ測定の結果に基づいて、送信電力、送信方向、アンテナサブアレイ選択、又はアンテナモジュール選択のうちの任意のものを調整し得る。閾値が満たされるとき、調整コンポーネント９０６は、送信特性を調整し得、調整に関するインジケーションを基地局９５０に送り得る。
【００８８】
[00100]  装置は、ライズオーバサーマル閾値のインジケーションを受信し、ＭＰＥ測定を実行する際に使用するための閾値を測定コンポーネント９１０に提供するライズオーバサーマルコンポーネント９１６を含み得る。装置は、測定のための送信が基地局において受信され得る最大受信電力を受けるように構成された最大受信電力コンポーネント９１８を含み得る。最大受信電力コンポーネント９１８は、ＭＰＥ測定を実行する際に使用するための最大受信電力インジケーションを測定コンポーネント９１０に提供し得る。
【００８９】
[00101]  装置は、ＭＰＥ測定を実行するためのリソースを、ＭＰＥ測定に利用可能なリソースから選択するように構成された選択コンポーネント９１４を備え得る。例えば、選択コンポーネント９１４は、リソースコンポーネント９０８からＭＰＥ測定に利用可能なリソースに関するインジケーションを受信し得る。選択コンポーネント９１４は、リソースを自律的に選択し得、それは、例えば、ＵＥによって行われた測定に基づき得る。
【００９０】
[00102]  代替的に、選択コンポーネントは、ＭＰＥ測定に利用可能なリソースの使用を管理又は別様に制御する追加のインジケーションを基地局９５０から受信し得る。装置は、ＭＰＥ測定のためのリソースの使用を制御する追加のインジケーションを基地局９５０から受信するコンポーネントを含み得る。例えば、選択コンポーネントは、装置がＭＰＥ測定のためにセル固有リソースを使用し得ることを示す第２のインジケーションを受信得るか、又は選択コンポーネントは、装置がＭＰＥ測定のためにセル固有リソースを使用しないことがあることを示す第２のインジケーションを受信し得る。装置は、ＵＥのためのスケジュール構成を受信するスケジュールコンポーネント９２０を含み得る。選択コンポーネント９１４は、スケジュール構成を使用して、ＭＰＥ測定を実行するためのスケジュールされていないリソースを選択し得る。スケジュールコンポーネントは、ＭＰＥ測定のためのスケジュールされた期間を受信し得、選択コンポーネント９１４にスケジュールされた期間を提供し得る。
【００９１】
[00103]  装置は、図８の前述されたフローチャート中のアルゴリズムのブロックの各々を実行する追加のコンポーネントを含み得る。そのため、図８の前述されたフローチャート中の各ブロックは、コンポーネントによって実行され得、装置は、それらのコンポーネントのうちの１つ又は複数を含み得る。コンポーネントは、記載されたプロセス／アルゴリズムを行うように特に構成された１つ又は複数のハードウェアコンポーネントであり得るか、記載されたプロセス／アルゴリズムを実行するように構成されたプロセッサによってインプリメントされ得るか、プロセッサによるインプリメンテーションのためにコンピュータ可読媒体内に記憶され得るか、又はそれらの何らかの組み合わせであり得る。
【００９２】
[00104]  図１０は、処理システム１０１４を用いる装置９０２’のためのハードウェアインプリメンテーションの例を例示する図１０００である。処理システム１０１４は、一般にバス１０２４によって表されるバスアーキテクチャを用いてインプリメントされ得る。バス１０２４は、処理システム１０１４の特定のアプリケーション及び全体的な設計制約に依存して、任意の数の相互接続バス及びブリッジを含み得る。バス１０２４は、プロセッサ１００４、コンポーネント９０４、９０６、９０８、９１０、９１２、９１４、９１６、９１８、９２０、及びコンピュータ可読媒体／メモリ１００６によって表される、１つ又は複数のプロセッサ及び／又はハードウェアコンポーネントを含む様々な回路を共にリンクする。バス１０２４はまた、タイミングソース、周辺機器、電圧レギュレータ、及び電力管理回路などの様々な他の回路をリンクし得るが、それらは、当該技術において良く知られており、従って、これ以上は説明されない。
【００９３】
[00105]  処理システム１０１４は、トランシーバ１０１０に結合され得る。トランシーバ１０１０は、１つ又は複数のアンテナ１０２０に結合される。トランシーバ１０１０は、送信媒体を通して様々な他の装置と通信するための手段を提供する。トランシーバ１０１０は、１つ又は複数のアンテナ１０２０から信号を受信し、受信された信号から情報を抽出し、抽出された情報を処理システム１０１４、具体的には受信コンポーネント９０４に提供する。加えて、トランシーバ１０１０は、処理システム１０１４、具体的には送信コンポーネント９０６から情報を受信し、受信された情報に基づいて、１つ又は複数のアンテナ１０２０に適用されることになる信号を生成する。処理システム１０１４は、コンピュータ可読媒体／メモリ１００６に結合されたプロセッサ１００４を含む。プロセッサ１００４は、コンピュータ可読媒体／メモリ１００６上に記憶されたソフトウェアの実行を含む一般の処理を担う。ソフトウェアは、プロセッサ１００４によって実行されると、処理システム１０１４に、任意の特定の装置に関して上記に説明された様々な機能を実行させる。コンピュータ可読媒体／メモリ１００６はまた、ソフトウェアを実行するときにプロセッサ１００４によって操作されるデータを記憶するために使用され得る。処理システム１０１４は、コンポーネント９０４、９０６、９０８、９１０、９１２、９１４、９１６、９１８、９２０のうちの少なくとも１つを更に含む。コンポーネントは、プロセッサ１００４中で作動中であり、コンピュータ可読媒体／メモリ１００６中に存在する／記憶されたソフトウェアコンポーネント、プロセッサ１００４に結合された１つ又は複数のハードウェアコンポーネント、又はそれらの何らかの組み合わせであり得る。処理システム１０１４は、ＵＥ３５０のコンポーネントであり得、メモリ３６０及び／又はＴＸプロセッサ３６８、ＲＸプロセッサ３５６、及びコントローラ／プロセッサ３５９のうちの少なくとも１つを含み得る。
【００９４】
[00106]  一構成では、ワイヤレス通信のための装置９０２／９０２’は、ＭＰＥ測定に利用可能なセル固有リソースを備えるインジケーションを受信するための手段と、セル固有リソースに基づいて測定を実行するための手段と、測定値が閾値を満たすかどうかに基づいて、ユーザ機器の送信特性を調整するかどうかを決定するための手段と、セル固有リソースが測定のために使用され得るというインジケーションをネットワークから受信するための手段と、セル固有リソースが測定のために使用されないことがあるというインジケーションを受信するための手段と、測定のためのアップリンクリソースの使用に関するインジケーションを受信するための手段と、基地局から測定のためのライズオーバサーマル閾値を受信するための手段と、ＭＰＥ使用が基地局において受信され得る最大受信電力を受けるための手段と、基地局から測定のためのスケジュールされた期間を受信するための手段と、測定値が閾値を満たすときに、ユーザ機器の送信特性を調整するための手段と、基地局に送信特性の調整（adjustment）を示すための手段とを含む。前述された手段は、前述された手段によって記載された機能を実行するように構成された装置９０２’の処理システム１０１４及び／又は装置９０２の前述されたコンポーネントのうちの１つ又は複数であり得る。上記に説明されたように、処理システム１０１４は、ＴＸプロセッサ３６８、ＲＸプロセッサ３５６、及びコントローラ／プロセッサ３５９を含み得る。そのため、一構成では、前述された手段は、前述された手段によって記載された機能を実行するように構成されたＴＸプロセッサ３６８、ＲＸプロセッサ３５６、及びコントローラ／プロセッサ３５９であり得る。
【００９５】
[00107]  図１１は、ワイヤレス通信の方法のフローチャート１１００である。方法は、基地局（例えば、基地局１０２、１８０、３１０、４０２、５０２、９５０、装置１２０２、１２０２’）によって実行され得る。１１０２において、基地局は、ユーザ機器がＭＰＥ測定、例えば、図５〜７に関して説明されたＭＰＥ測定を実行し得るセル固有リソースを構成する（configure）。セル固有リソースは、ＲＡＣＨリソース、ビーム障害回復リソース、及び／又はスケジューリング要求リソースのうちの少なくとも１つを備え得る。別の例では、セル固有リソースは、ダウンリンクリソースを備え得る。
【００９６】
[00108]  １１０４において、基地局は、ＭＰＥ測定のためのセル固有リソースの使用を制御する。例えば、基地局は、アップリンクリソースがＭＰＥ測定のために使用され得るというインジケーションを送信し得る。このことから、ＵＥは、リソースに基づいて測定を実行する前に、リソースがＭＰＥ測定のために使用され得るというインジケーションを受信するのを待ち得る。別の例として、基地局は、アップリンクリソースがＭＰＥ測定のために使用されないことがあるというインジケーションを送信し得る。このことから、ＵＥは、リソースが使用されないことがあることを基地局が示さない限り、ＭＰＥ測定のためにリソースを使用するか否かを選び得る。基地局は、アップリンクリソースがＭＰＥ測定のために使用され得るときを統制する（govern）パラメータを設定し得る。基地局は、ＭＰＥ測定のためのアップリンクリソースの使用に関するインジケーションを送信し得、インジケーションは、ＭＩＢ、ＳＩＢ、他のシステム情報、ＭＡＣ ＣＥ、ＤＣＩ、又はＲＲＣメッセージのうちの少なくとも１つ中にパラメータを備える。インジケーションは、ＭＰＥ測定のためのアップリンクリソースのＵＥの使用を抑制し得るか、又は別様に制限を課し得る。基地局は、ユーザ機器にＭＰＥ測定のためのスケジュールされた期間を送信し得る。ＭＰＥ測定のためのスケジュールされた期間は、ユーザ機器のための保留中のアップリンクデータ送信に基づき得る。
【００９７】
[00109]  セル固有リソースは、ＲＡＣＨリソースを備え得る。この例では、基地局は、１１０６において、セル固有リソース中の負荷、例えば、ＲＡＣＨ負荷を測定し得る。その後、基地局は、１１０６において測定されたＲＡＣＨ負荷に基づいて、ＭＰＥ測定のためのＲＡＣＨリソースの使用に対する制限を識別するインジケーションを送信し得る。
【００９８】
[00110]  基地局は、１１０８において、基地局が、例えば、送信においてＵＥに示し得る、ＵＥに対するＭＰＥ測定のためのライズオーバサーマル閾値を構成し得る。基地局は、１１１０において、ＭＰＥ測定のためのＵＥからの送信が基地において受信され得る最大受信電力を構成し得る。基地局は、例えば、送信において、ＵＥに最大受信電力を示し得る。
【００９９】
[00111]  基地局は、１１１２において、システムギャップ中でＭＰＥ測定を実行するために、複数のＵＥをグループ化し得る。グループ化は、異なる経路損失を有する複数のＵＥに基づき得る。
【０１００】
[00112]  図１２は、例証的な装置１２０２中の異なる手段／コンポーネント間でのデータフローを例示する概念的なデータフロー図１２００である。装置は、ＵＥ（例えば、ＵＥ１０４、３５０、４０４、７０８、１２５０、装置９０２、９０２’）と通信する基地局（例えば、基地局１０２、１８０、３１０、４０２、５０２）であり得る。装置は、ＭＰＥ測定のためにＵＥによって行われる送信及びＲＡＣＨを含む、ＵＥ１２５０からのアップリンク通信を受信する受信コンポーネント１２０４を含む。装置は、ＵＥ１２５０にダウンリンク通信を送信する送信コンポーネント１２０６を含む。装置は、ユーザ機器がＭＰＥ測定を実行し得るセル固有リソースを構成するＭＰＥリソースコンポーネント１２０８を備え得る。装置はまた、例えば、図８及び図１１に関連して説明されたように、ＭＰＥ測定のためのセル固有リソースの使用を制御するように構成された制御コンポーネント１２１０を含み得る。
【０１０１】
[00113]  装置は、ＭＰＥ測定のためのセル固有リソース上の負荷を測定するように構成された負荷測定コンポーネント１２１２を含み得る。例えば、負荷測定コンポーネント１２１２は、ＲＡＣＨ負荷を測定し得、制御コンポーネント１２１０は、リソースについての測定された負荷に基づいて、ＭＰＥ測定のためのセル固有リソースの使用を制限し得るか、又は別様に制御し得る。
【０１０２】
[00114]  装置は、送信コンポーネント１２０６を介してＵＥ１２５０にＭＰＥ測定のためのライズオーバサーマル閾値を送信し得るライズオーバサーマルコンポーネント１２１４を含み得る。装置は、送信コンポーネント１２０６を介してＵＥ１２５０に最大受信電力を送る最大受信電力コンポーネント１２１６を含み得、最大受信電力は、ＭＰＥ測定のためのＵＥ１２５０からの送信が基地局において受信され得る最大値である。
【０１０３】
[00115]  装置は、ＭＰＥ測定を実行するために複数のＵＥをグループ化するように構成されたグループコンポーネント１２１８を含み得る。グループ化は、異なる経路損失を有する複数のユーザ機器に基づき得、ＭＰＥ測定のためのリソースの制御／管理のために制御コンポーネント１２１０に提供され得る。
【０１０４】
[00116]  装置は、図１１の前述されたフローチャート中のアルゴリズムのブロックの各々を実行する追加のコンポーネントを含み得る。そのため、図１１の前述されたフローチャート中の各ブロックは、コンポーネントによって実行され得、装置は、それらのコンポーネントのうちの１つ又は複数を含み得る。コンポーネントは、記載されたプロセス／アルゴリズムを行うように特に構成された１つ又は複数のハードウェアコンポーネントであり得るか、記載されたプロセス／アルゴリズムを実行するように構成されたプロセッサによってインプリメントされ得るか、プロセッサによるインプリメンテーションのためにコンピュータ可読媒体内に記憶され得るか、又はそれらの何らかの組み合わせであり得る。
【０１０５】
[00117]  図１３は、処理システム１３１４を用いる装置１２０２’のためのハードウェアインプリメンテーションの例を例示する図１３００である。処理システム１３１４は、一般にバス１３２４によって表されるバスアーキテクチャを用いてインプリメントされ得る。バス１３２４は、処理システム１３１４の特定のアプリケーション及び全体的な設計制約に依存して、任意の数の相互接続バス及びブリッジを含み得る。バス１３２４は、プロセッサ１３０４、コンポーネント１２０４、１２０６、１２０８、１２１０、１２１２、１２１４、１２１６、１２１８、及びコンピュータ可読媒体／メモリ１３０６によって表される、１つ又は複数のプロセッサ及び／又はハードウェアコンポーネントを含む様々な回路を共にリンクする。バス１３２４はまた、タイミングソース、周辺機器、電圧レギュレータ、及び電力管理回路などの様々な他の回路をリンクし得るが、それらは、当該技術において良く知られており、従って、これ以上は説明されない。
【０１０６】
[00118]  処理システム１３１４は、トランシーバ１３１０に結合され得る。トランシーバ１３１０は、１つ又は複数のアンテナ１３２０に結合される。トランシーバ１３１０は、送信媒体を通して様々な他の装置と通信するための手段を提供する。トランシーバ１３１０は、１つ又は複数のアンテナ１３２０から信号を受信し、受信された信号から情報を抽出し、抽出された情報を処理システム１３１４、具体的には受信コンポーネント１２０４に提供する。加えて、トランシーバ１３１０は、処理システム１３１４、具体的には送信コンポーネント１２０６から情報を受信し、受信された情報に基づいて、１つ又は複数のアンテナ１３２０に適用されることになる信号を生成する。処理システム１３１４は、コンピュータ可読媒体／メモリ１３０６に結合されたプロセッサ１３０４を含む。プロセッサ１３０４は、コンピュータ可読媒体／メモリ１３０６上に記憶されたソフトウェアの実行を含む一般の処理を担う。ソフトウェアは、プロセッサ１３０４によって実行されると、処理システム１３１４に、任意の特定の装置に関して上記に説明された様々な機能を実行させる。コンピュータ可読媒体／メモリ１３０６はまた、ソフトウェアを実行するときにプロセッサ１３０４によって操作されるデータを記憶するために使用され得る。処理システム１３１４は、コンポーネント１２０４、１２０６、１２０８、１２１０、１２１２、１２１４、１２１６、１２１８のうちの少なくとも１つを更に含む。コンポーネントは、プロセッサ１３０４中で作動中であり、コンピュータ可読媒体／メモリ１３０６中に存在する／記憶されたソフトウェアコンポーネント、プロセッサ１３０４に結合された１つ又は複数のハードウェアコンポーネント、又はそれらの何らかの組み合わせであり得る。処理システム１３１４は、基地局３１０のコンポーネントであり得、メモリ３７６、及び／又はＴＸプロセッサ３１６、ＲＸプロセッサ３７０、及びコントローラ／プロセッサ３７５のうちの少なくとも１つを含み得る。
【０１０７】
[00119]  一構成では、ワイヤレス通信のための装置１２０２／１２０２’は、ユーザ機器がＭＰＥ測定を実行し得るセル固有リソースを構成するための手段と、ＭＰＥ測定のためのセル固有リソースの使用を制御するための手段と、アップリンクリソースがＭＰＥ測定のために使用され得るというインジケーションを送信するための手段と、アップリンクリソースがＭＰＥ測定のために使用されないことがあるというインジケーションを送信するための手段と、アップリンクリソースがＭＰＥ測定のために使用され得るときを統制するパラメータを設定するための手段と、ＭＰＥ測定のためのアップリンクリソースの使用に関するインジケーションを送信するための手段と、ＲＡＣＨ負荷を測定するための手段と、ＭＰＥ測定のためのライズオーバサーマル閾値を送信するための手段と、ＭＰＥ使用が基地局において受信され得る最大受信電力を送るための手段と、ユーザ機器にＭＰＥ測定のためのスケジュールされた期間を送信するための手段と、システムギャップ中でＭＰＥ測定を実行するために、複数のＵＥをグループ化するための手段とを含む。前述された手段は、前述された手段によって記載された機能を実行するように構成された装置１２０２’の処理システム１３１４及び／又は装置１２０２の前述されたコンポーネントのうちの１つ又は複数であり得る。上記に説明されたように、処理システム１３１４は、ＴＸプロセッサ３１６、ＲＸプロセッサ３７０、及びコントローラ／プロセッサ３７５を含み得る。そのため、一構成では、前述された手段は、前述された手段によって記載された機能を実行するように構成されたＴＸプロセッサ３１６、ＲＸプロセッサ３７０、及びコントローラ／プロセッサ３７５であり得る。
【０１０８】
[00120]  開示されたプロセス／フローチャート中のブロックの特定の順序又は階層は例証的なアプローチの例示であるということが理解される。設計の選好に基づいて、プロセス／フローチャート中のブロックの特定の順序又は階層は再配列され得るということが理解される。更に、いくつかのブロックは、組み合わされ得るか、又は省略され得る。添付の方法の請求項は、サンプルの順序で様々なブロックの要素を提示しており、提示された特定の順序又は階層に限定されることを意図されない。
【０１０９】
[00121]  先の説明は、いかなる当業者であっても、本明細書で説明された様々な態様を実施することを可能にするために提供される。これらの態様への様々な修正は、当業者にとって容易に明らかとなり、本明細書で定義された包括的な原理は、他の態様に適用され得る。このことから、特許請求の範囲は、本明細書で示された態様に限定されることを意図されないが、特許請求の範囲の文言と一致する全範囲を付与されるべきであり、ここにおいて、単数形での要素への言及は、そうであると具体的に記載されない限り、「１つ及び１つのみ」を意味することを意図されず、むしろ「１つ又は複数」を意味する。「例証的（exemplary）」という用語は、本明細書では「例、事例、又は例示としての役割を果たすこと」を意味するように使用される。「例証的」であるとして本明細書で説明されるいずれの態様も、他の態様より好ましい又は有利であるとして必ずしも解釈されるべきではない。別途具体的に記載されない限り、「いくつかの／いくらかの／何らかの（some）」という用語は、１つ又は複数を指す。「Ａ、Ｂ、又はＣのうちの少なくとも１つ」、「Ａ、Ｂ、又はＣのうちの１つ又は複数」、「Ａ、Ｂ、及びＣのうちの少なくとも１つ」、「Ａ、Ｂ、及びＣのうちの１つ又は複数」、及び「Ａ、Ｂ、Ｃ、又はそれらの任意の組み合わせ」などの組み合わせは、Ａ、Ｂ、及び／又はＣの任意の組み合わせを含み、複数のＡ、複数のＢ、又は複数のＣを含み得る。具体的には、「Ａ、Ｂ、又はＣのうちの少なくとも１つ」、「Ａ、Ｂ、又はＣのうちの１つ又は複数」、「Ａ、Ｂ、及びＣのうちの少なくとも１つ」、「Ａ、Ｂ、及びＣのうちの１つ又は複数」、及び「Ａ、Ｂ、Ｃ、又はそれらの任意の組み合わせ」などの組み合わせは、Ａのみ、Ｂのみ、Ｃのみ、ＡとＢ、ＡとＣ、ＢとＣ、又はＡとＢとＣであり得、ここで、任意のそのような組み合わせは、Ａ、Ｂ、又はＣの１つ又は複数のメンバを包含し得る。当業者に知られているか、又は後に知られることになる、この開示全体を通じて説明された様々な態様の要素に対する全ての構造的及び機能的な同等物は、参照によって本明細書に明確に組み込まれ、特許請求の範囲によって包含されることを意図される。その上、本明細書で開示されたものはいずれも、そのような開示が特許請求の範囲に明示的に記載されているかどうかに
かかわらず、公に献呈されることを意図されない。「モジュール」、「メカニズム」、「要素」、「デバイス」、及び同様の用語は、「手段」という用語の代用ではないことがある。そのため、要素が「〜のための手段」というフレーズを使用して明確に記載されていない限り、どの請求項の要素もミーンズプラスファンクションとして解釈されるべきではない。
【図１】
2021508202.tif 000003
【図２Ａ】
2021508202.tif 000004
【図２Ｂ】
2021508202.tif 000005
【図２Ｃ】
2021508202.tif 000006
【図２Ｄ】
2021508202.tif 000007
【図３】
2021508202.tif 000008
【図４】
2021508202.tif 000009
【図５】
2021508202.tif 000010
【図６】
2021508202.tif 000011
【図７】
2021508202.tif 000012
【図８】
2021508202.tif 000013
【図９】
2021508202.tif 000014
【図１０】
2021508202.tif 000015
【図１１】
2021508202.tif 000016
【図１２】
2021508202.tif 000017
【図１３】
2021508202.tif 000018
【国際調査報告】
2021508202.tif 000019
2021508202.tif 000020